(57)【特許請求の範囲】
【請求項１】
ワイヤレス通信の方法であって、
物理ランダムアクセスチャネル（ＰＲＡＣＨ）の第１のトーン上の第１のシンボルを送信することと、
前記第１のトーンから第１のホッピング距離のところにある前記ＰＲＡＣＨの第２のトーン上の第２のシンボルを送信することと、
前記ＰＲＡＣＨの第３のトーン上の第３のシンボルを送信することと、
前記第３のトーンから第２のホッピング距離のところにある前記ＰＲＡＣＨの第４のトーン上の第４のシンボルを送信することと、前記第２のホッピング距離は、第１のホッピング距離より大きい、
を備える、方法。
【請求項２】
前記ワイヤレス通信は、狭帯域ワイヤレス通信を備える、請求項１に記載の方法。
【請求項３】
前記第２のホッピング距離は、１より大きい整数によって乗じられた前記第１のホッピング距離に対応する、請求項１に記載の方法。
【請求項４】
前記第１のトーン上の前記第１のシンボルと前記第３のトーン上の第３のシンボルとの間の第３のホッピング距離は、ランダムホッピング距離に対応する、請求項１に記載の方法。
【請求項５】
前記第４のトーン上の前記第４のシンボルと前記第１のトーン上の前記第１のシンボルとの間の第３のホッピング距離は、ランダムホッピング距離に対応する、請求項１に記載の方法。
【請求項６】
ランダムホッピング距離である第３のホッピング距離を使用して、前記ＰＲＡＣＨのさらなるトーン上のさらなるシンボルを送信すること
をさらに備える、請求項１に記載の方法。
【請求項７】
カバレッジ拡張（ＣＥ）レベルを決定することと、
前記ＣＥレベルに基づいて、前記ＰＲＡＣＨのトーン送信の相互間の前記第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
をさらに備える、請求項１に記載の方法。
【請求項８】
送信リソース中のトーンをカバレッジ拡張（ＣＥ）レベルにマッピングするリソース割振り情報を受信すること、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された送信リソース内で送信される、
をさらに備える、請求項１に記載の方法。
【請求項９】
前記ＣＥレベルは、固定の送信リソース中のトーンにマッピングし、前記第１のトーン上の前記第１のシンボル、前記第２のトーン上の前記第２のシンボル、前記第３のトーン上の前記第３のシンボル、および前記第４のトーン上の前記第４のシンボルは、前記固定の送信リソース内で送信される、請求項８に記載の方法。
【請求項１０】
前記ＣＥレベルは、複数の固定の送信リソース中のトーンにマッピングし、前記方法は、
前記ＣＥレベルに対応するリソース割振り情報を受信すること、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された前記複数の固定の送信リソースのうちの１つ内で送信される、
をさらに備える、請求項８に記載の方法。
【請求項１１】
カバレッジ拡張（ＣＥ）レベルを決定すること、ここにおいて、第１のＣＥレベルは、第２のＣＥレベルとは異なる、前記ＰＲＡＣＨのトーン送信のためのタイミングアドバンス粒度に関連付けられる、
をさらに備える、請求項１に記載の方法。
【請求項１２】
前記ＰＲＡＣＨのためのトーン間の間隔は、対応するアップリンクまたはダウンリンクデータ送信のためのトーン間の間隔とは異なる、請求項１に記載の方法。
【請求項１３】
ユーザ機器におけるワイヤレス通信のための装置であって、
基地局からのダウンリンク通信を受信するための手段と、
前記基地局に物理ランダムアクセスチャネル（ＰＲＡＣＨ）の第１のトーン上の第１のシンボルを送信するための手段と
を備え、
前記送信するための手段は、前記第１のトーンから第１のホッピング距離のところにある前記ＰＲＡＣＨの第２のトーン上の第２のシンボルを送信し、前記ＰＲＡＣＨの第３のトーン上の第３のシンボルを送信し、前記第３のトーンから第２のホッピング距離のところにある前記ＰＲＡＣＨの第４のトーン上の第４のシンボルを送信し、前記第２のホッピング距離は、第１のホッピング距離より大きい、装置。
【請求項１４】
前記ワイヤレス通信は、狭帯域ワイヤレス通信を備える、請求項１３に記載の装置。
【請求項１５】
前記第２のホッピング距離は、１より大きい整数によって乗じられた前記第１のホッピング距離に対応する、請求項１３に記載の装置。
【請求項１６】
前記第１のトーン上の前記第１のシンボルと前記第３のトーン上の前記第３のシンボルとの間の第３のホッピング距離は、ランダムホッピング距離に対応するか、または前記第４のトーン上の前記第４のシンボルと前記第１のトーン上の前記第１のシンボルとの間の第４のホッピング距離は、ランダムホッピング距離に対応する、請求項１３に記載の装置。
【請求項１７】
前記送信するための手段は、ランダムホッピング距離である第３のホッピング距離を使用して、前記ＰＲＡＣＨのさらなるトーン上のさらなるシンボルを送信する、請求項１３に記載の装置。
【請求項１８】
カバレッジ拡張（ＣＥ）レベルを決定するための手段と、
前記ＣＥレベルに基づいて、前記ＰＲＡＣＨのトーン送信の相互間の前記第１のホッピング距離を選択するための手段と、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
をさらに備える、請求項１３に記載の装置。
【請求項１９】
受信するための前記手段は、送信リソース中のトーンをカバレッジ拡張（ＣＥ）レベルにマッピングするリソース割振り情報を受信するように構成され、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された送信リソース内で送信される、
ここにおいて、前記ＣＥレベルは、
固定の送信リソース中のトーン、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記固定の送信リソース内で送信される、または、
複数の固定の送信リソース中のトーン、ここにおいて、前記受信するための手段は、前記ＣＥレベルに対応するリソース割振り情報を受信し、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された前記複数の固定の送信リソースのうちの１つ内で送信される、
のうちの少なくとも１つにマッピングする、請求項１３に記載の装置。
【請求項２０】
カバレッジ拡張（ＣＥ）レベルを決定するための手段、ここにおいて、第１のＣＥレベルは、第２のＣＥレベルとは異なる、前記ＰＲＡＣＨのトーン送信のためのタイミングアドバンス粒度に関連付けられる、
をさらに備える、請求項１３に記載の装置。
【請求項２１】
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、請求項１３に記載の装置。
【請求項２２】
ワイヤレス通信のための装置であって、
メモリと、
前記メモリに結合され、かつ、
物理ランダムアクセスチャネル（ＰＲＡＣＨ）の第１のトーン上の第１のシンボルを送信することと、
前記第１のトーンから第１のホッピング距離のところにある前記ＰＲＡＣＨの第２のトーン上の第２のシンボルを送信することと、
前記ＰＲＡＣＨの第３のトーン上の第３のシンボルを送信することと、
前記第３のトーンから第２のホッピング距離のところにある前記ＰＲＡＣＨの第４のトーン上の第４のシンボルを送信することと、前記第２のホッピング距離は、第１のホッピング距離より大きい、
を行うように構成された少なくとも１つのプロセッサと、
を備える、装置。
【請求項２３】
前記ワイヤレス通信は、狭帯域ワイヤレス通信を備える、請求項２２に記載の装置。
【請求項２４】
前記第２のホッピング距離は、１より大きい整数によって乗じられた前記第１のホッピング距離に対応する、請求項２２に記載の装置。
【請求項２５】
前記第１のトーン上の前記第１のシンボルと前記第３のトーン上の前記第３のシンボルとの間の第３のホッピング距離は、ランダムホッピング距離に対応するか、または前記第４のトーン上の前記第４のシンボルと前記第１のトーン上の前記第１のシンボルとの間の第４のホッピング距離は、ランダムホッピング距離に対応する、請求項２２に記載の装置。
【請求項２６】
前記少なくとも１つのプロセッサは、
ランダムホッピング距離である第３のホッピング距離を使用して、前記ＰＲＡＣＨのさらなるトーン上のさらなるシンボルを送信する
ようにさらに構成される、請求項２２に記載の装置。
【請求項２７】
前記少なくとも１つのプロセッサは、
カバレッジ拡張（ＣＥ）レベルを決定することと、
前記ＣＥレベルに基づいて、前記ＰＲＡＣＨのトーン送信の相互間の前記第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
を行うようにさらに構成される、請求項２２に記載の装置。
【請求項２８】
前記少なくとも１つのプロセッサは、
送信リソース中のトーンをカバレッジ拡張（ＣＥ）レベルにマッピングするリソース割振り情報を受信すること、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された送信リソース内で送信され、前記ＣＥレベルは、
固定の送信リソース中のトーン、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記固定の送信リソース内で送信される、または、
複数の固定の送信リソース中のトーン、ここにおいて、前記少なくとも１つのプロセッサは、前記ＣＥレベルに対応するリソース割振り情報を受信するようにさらに構成され、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された前記複数の固定の送信リソースのうちの１つ内で送信される、
のうちの少なくとも１つにマッピングする、
を行うようにさらに構成される、請求項２２に記載の装置。
【請求項２９】
前記少なくとも１つのプロセッサは、
カバレッジ拡張（ＣＥ）レベルを決定する、ここにおいて、第１のＣＥレベルは、第２のＣＥレベルとは異なる、前記ＰＲＡＣＨのトーン送信のためのタイミングアドバンス粒度に関連付けられる、
ようにさらに構成される、請求項２２に記載の装置。
【請求項３０】
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、請求項２２に記載の装置。
【請求項３１】
少なくとも１つのプロセッサによって実行するためのコンピュータ実行可能コードを記憶する非一時的コンピュータ可読媒体であって、前記コンピュータ実行可能コードは、ワイヤレス通信のためのものであり、かつ
物理ランダムアクセスチャネル（ＰＲＡＣＨ）の第１のトーン上の第１のシンボルを送信することと、
前記第１のトーンから第１のホッピング距離のところにある前記ＰＲＡＣＨの第２のトーン上の第２のシンボルを送信することと、
前記ＰＲＡＣＨの第３のトーン上の第３のシンボルを送信することと、
前記第３のトーンから第２のホッピング距離のところにある前記ＰＲＡＣＨの第４のトーン上の第４のシンボルを送信することと、前記第２のホッピング距離は、第１のホッピング距離より大きい、
を行うためのコードを備える、非一時的コンピュータ可読媒体。
【請求項３２】
前記ワイヤレス通信は、狭帯域ワイヤレス通信を備える、請求項３１に記載の非一時的コンピュータ可読媒体。
【請求項３３】
前記第２のホッピング距離は、１より大きい整数によって乗じられた前記第１のホッピング距離に対応する、請求項３１に記載の非一時的コンピュータ可読媒体。
【請求項３４】
前記第１のトーン上の前記第１のシンボルと前記第３のトーン上の前記第３のシンボルとの間の第３のホッピング距離は、ランダムホッピング距離に対応するか、または前記第４のトーン上の前記第４のシンボルと前記第１のトーン上の前記第１のシンボルとの間の第４のホッピング距離は、ランダムホッピング距離に対応する、請求項３１に記載のコンピュータ可読媒体。
【請求項３５】
ランダムホッピング距離である第３のホッピング距離を使用して、前記ＰＲＡＣＨのさらなるトーン上のさらなるシンボルを送信する
ためのコードをさらに備える、請求項３１に記載の非一時的コンピュータ可読媒体。
【請求項３６】
カバレッジ拡張（ＣＥ）レベルを決定することと、
前記ＣＥレベルに基づいて、前記ＰＲＡＣＨのトーン送信の相互間の前記第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
を行うためのコードをさらに備える、請求項３１に記載の非一時的コンピュータ可読媒体。
【請求項３７】
送信リソース中のトーンをカバレッジ拡張（ＣＥ）レベルにマッピングするリソース割振り情報を受信するためのコードをさらに備え、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された送信リソース内で送信され、前記ＣＥレベルは、
固定の送信リソース中のトーン、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記固定の送信リソース内で送信される、または、
複数の固定の送信リソース中のトーン、
のうちの少なくとも１つにマッピングし、前記非一時的コンピュータ可読媒体はさらに、
前記ＣＥレベルに対応するリソース割振り情報を受信するためのコードを備え、ここにおいて、前記第１のトーン上の前記第１のシンボル、前記第２のトーン上の前記第２のシンボル、前記第３のトーン上の前記第３のシンボル、および前記第４のトーン上の前記第４のシンボルは、前記リソース割振り情報によって示された前記複数の固定の送信リソースのうちの１つ内で送信される、
請求項３１に記載の非一時的コンピュータ可読媒体。
【請求項３８】
カバレッジ拡張（ＣＥ）レベルを決定するためのコードをさらに備え、ここにおいて、第１のＣＥレベルは、第２のＣＥレベルとは異なる、前記ＰＲＡＣＨのトーン送信のためのタイミングアドバンス粒度に関連付けられる、請求項３１に記載の非一時的コンピュータ可読媒体。
【請求項３９】
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、請求項３１に記載の非一時的コンピュータ可読媒体。
【発明の詳細な説明】
【関連出願の相互参照】
【０００１】
[0001]本出願は、２０１５年１２月１８日付で出願された、「Narrow Band PRACH with Tone Hopping Distance Based on CE Level」と題された米国仮出願番号第６２／２６９，７９９号、および２０１６年９月２９日付で出願された「Narrow Band PRACH with Multiple Tone Hopping Distances」と題された米国特許出願番号第１５／２７９，９９１号の利益を主張し、それらは全体として本明細書に参照により明示的に組み込まれている。
【技術分野】
【０００２】
[0002]本開示は、概して通信システムに関し、より具体的には、狭帯域（ＮＢ）ワイヤレス通信における物理ランダムアクセスチャネル（ＰＲＡＣＨ）に関する。
【背景技術】
【０００３】
[0003]ワイヤレス通信システムは、電話通信、ビデオ、データ、メッセージング、およびブロードキャストのような様々な電気通信サービスを提供するために広く展開されている。典型的なワイヤレス通信システムは、利用可能なシステムリソースを共有することによって複数のユーザとの通信をサポートする能力を有する多元接続技術を採用し得る。こうした多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが市区町村、国、地域、さらにはグローバルレベルで通信することを可能とする共通のプロトコルを提供するために、様々な電気通信規格において導入されてきた。例となる電気通信規格は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）モバイル規格に対する拡張版（enhancement）のセットである。ＬＴＥは、ダウンリンク上でのＯＦＤＭＡ、アップリンク上でのＳＣ−ＦＤＭＡ、および多入力多出力（ＭＩＭＯ）アンテナ技術を使用して、改善されたスペクトル効率、低下したコスト、および改善されたサービスを通じ、モバイルブロードバンドアクセスをサポートするように設計されている。しかしながら、モバイルブロードバンドアクセスを求める需要が高まり続けるのに伴い、ＬＴＥ技術においてさらなる改善の必要がある。これらの改善はまた、他の多元接続技術およびこれらの技術を採用する電気通信規格に適用可能であり得る。
【０００５】
[0005] 狭帯域（ＮＢ）のモノのインターネット（ＮＢ−ＩＯＴ：NB Internet of Things）のようなＮＢワイヤレス通信は、多数の課題に直面している。それは、複数のユーザによって共有され得る限定された周波数次元を有する。たとえば、ＮＢ−ＩＯＴは、単一のリソースブロック（ＲＢ）を占め得、このことは、ＮＢ  ＰＲＡＣＨにとっての固有の課題を表す。大規模なカバレッジエリアは、ＮＢ−ＩＯＴでは、通常のサイクリックプレフィクス（ＮＣＰ）が補償することができるレンジを超えて広がるタイミングオフセットを招き得る。さらには、デバイスは、デバイスの配置および設置位置に基づいて異なる環境に直面し得る。
【発明の概要】
【０００６】
[0006]以下は、１つまたは複数の態様の簡略化された概要を、こうした態様の基本的な理解を提供するために提示する。この概要は、すべての考えられる態様の広範囲に及ぶ概観ではなく、またすべての態様のキーとなるもしくは決定的な要素を特定することも、いずれかのもしくはすべての態様の範囲を詳細に記述することもしないように意図されている。その唯一の目的は、後に提示されるより詳細な説明への前置きとして簡略化された形態で１つまたは複数の態様のいくつかの概念を提示することである。
【０００７】
[0007]ＮＢ−ＩＯＴデバイスは異なる通信環境でオペレートするように想定されるため、デバイスの異なる環境条件に対応するカバレッジ拡張（ＣＥ）レベルに基づいてデバイスを分類することが便利になる。複数のユーザによって使用され得るＮＢの限定された次元と、それに加えて可能な大規模カバレッジエリアに起因して、タイミングオフセット推定は、ＮＣＰ外にあり得る。タイミング推定の不正確性は、ＰＲＡＣＨについて１つより多いトーンホッピング距離を使用することによって改善され得る。
【０００８】
[0008]たとえば、ＰＲＡＣＨのトーン間で複数のトーンホッピング距離を使用することによって、タイミング推定の正確性を向上させるための複数の態様が、本明細書で提示される。
【０００９】
[0009]本開示の態様では、方法、コンピュータ可読媒体、および装置が提供される。装置は、ＰＲＡＣＨの、第１のトーン、および第１のトーンから第１のホッピング距離のところにある第２のトーンを送信する。装置はその後、ＰＲＡＣＨの第３のトーンおよびＰＲＡＣＨの第４のトーンを送信する。第３のトーンは、第２のトーンから第２のホッピング距離のところにあり得る、または第４のトーンは、第３のトーンから第２のホッピング距離のところにあり得る。第２のホッピング距離は、第１のホッピング距離より大きいことがある。装置はまた、ランダムホッピング距離を使用して、ＰＲＡＣＨのさらなるトーンを送信し得る。
【００１０】
[0010]前述および関連する目的の達成に向けて、１つまたは複数の態様は、以下で十分に説明され、請求項において具体的に指摘される特徴を備える。以下の説明および添付の図面は、１つまたは複数の態様のある特定の例示的な特徴を詳細に述べる。しかしながらこれらの特徴は、様々な態様の原理が採用され得る様々な方法のうちのほんのいくつかを示しているに過ぎず、本説明は、そのような態様およびそれらの均等物すべてを含むように意図されている。
【図面の簡単な説明】
【００１１】
【図１】図１は、ワイヤレス通信システムおよびアクセスネットワークの例を例示する図である。
【図２Ａ】ＤＬフレーム構造のＬＴＥの例を例示する図である。
【図２Ｂ】ＤＬフレーム構造内のＤＬチャネルのＬＴＥの例を例示する図である。
【図２Ｃ】ＵＬフレーム構造のＬＴＥの例を例示する図である。
【図２Ｄ】ＵＬフレーム構造内のＵＬチャネルのＬＴＥの例を例示する図である。
【図３】アクセスネットワークにおける発展型ノードＢ（ｅＮＢ）およびユーザ装置（ＵＥ）の例を例示する図である。
【図４】本明細書で提示される態様にしたがった、ＰＲＡＣＨおける固定およびランダムトーンホッピングを例示する。
【図５】本明細書で提示される態様にしたがった、同じ送信についての異なるトーンホッピング距離の使用を例示する。
【図６】本明細書で提示される態様にしたがった、ＰＲＡＣＨトーンを受信する態様を例示する。
【図７】本明細書で提示される態様にしたがった、ＰＲＡＣＨトーンを受信する態様を例示する。
【図８Ａ】本明細書で提示される態様にしたがった、ワイヤレス通信システムの態様を例示する。
【図８Ｂ】本明細書で提示される態様にしたがった、ＣＥレベルへのトーンホッピング距離の対応を例示する。
【図９】本明細書で提示される態様にしたがった、異なるＣＥレベルに対応する複数の送信領域の多重化を例示する。
【図１０】本明細書で提示される態様にしたがった、ＰＲＡＣＨのトーンとデータリソースとの間の例となるマッピングを例示する。
【図１１】ワイヤレス通信の方法のフローチャートである。
【図１２】実例的な装置における異なる手段／コンポーネント間のデータフローを例示する概念上のデータフロー図である。
【図１３】処理システムを採用する装置のためのハードウェア実装の例を例示する図である。
【図１４】ワイヤレス通信の方法のフローチャートである。
【図１５】実例的な装置における異なる手段／コンポーネント間のデータフローを例示する概念上のデータフロー図である。
【図１６】処理システムを採用する装置のためのハードウェア実装の例を例示する図である。
【詳細な説明】
【００１２】
[0028]添付の図面に関係して以下で述べられる詳細な説明は、様々な構成の説明として意図されており、本明細書で説明される概念が実施され得る唯一の構成（the only configurations）を表すようには意図されていない。詳細な説明は、様々な概念の徹底的な理解を提供する目的で具体的な詳細を含む。しかしながら、これらの概念がこれらの具体的な詳細なく実施され得ることは、当業者には明らかだろう。いくつかの事例では、周知の構造およびコンポーネントが、こうした概念を曖昧にすることを回避するためにブロック図の形態で図示される。
【００１３】
[0029]電気通信システムのいくつかの態様が、様々な装置および方法を参照してこれから提示されることになる。これらの装置および方法は、様々なブロック、コンポーネント、回路、プロセス、アルゴリズム等（集合的に、「要素」と称される）によって、以下の詳細な説明において説明され、添付の図面で例示されることになる。これらの要素は、電子ハードウェア、コンピュータソフトウェア、またはそれらのあらゆる組合せを使用して実装され得る。こうした要素がハードウェアとして実装されるかソフトウェアとして実装されるかは、システム全体に課された設計制約および特定のアプリケーションに依存する。
【００１４】
[0030]例として、要素、または要素のうちの任意の一部分、または要素の任意の組合せが、１つまたは複数のプロセッサを含む「処理システム」として実装され得る。プロセッサの例は、マイクロプロセッサ、マイクロコントローラ、グラフィックス処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理回路、ディスクリートハードウェア回路、および本開示全体を通して説明される様々な機能性を実行するように構成された他の適したハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、または別の形のいずれで称されようと、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数等を意味するように広範に解釈されることとする。
【００１５】
[0031]したがって、１つまたは複数の例となる実施形態では、説明される機能は、ハードウェア、ソフトウェア、またはそれらのいずれの組合せにおいても実装され得る。ソフトウェアにおいて実装される場合、機能は、コンピュータ可読媒体上で、１つまたは複数の命令またはコードとして符号化または記憶され得る。コンピュータ可読媒体は、コンピュータ記憶媒体を含む。記憶媒体は、コンピュータによってアクセスされ得るいずれの利用可能な媒体でもあり得る。限定ではなく例として、こうしたコンピュータ可読媒体は、ランダムアクセスメモリ（ＲＡＭ）、読取専用メモリ（ＲＯＭ）、電気的消去可能プログラマブルＲＯＭ（ＥＥＰＲＯＭ（登録商標））、光学ディスクストレージ、磁気ディスクストレージ、他の磁気記憶デバイス、上述のタイプのコンピュータ可読媒体の組合せ、あるいはコンピュータによってアクセスされ得るデータ構造または命令の形態でコンピュータ実行可能コードを記憶するために使用され得るいずれの他の媒体も備え得る。
【００１６】
[0032]図１は、ワイヤレス通信システムおよびアクセスネットワーク１００の例を例示する図である。ワイヤレス通信システム（ワイヤレス広域ネットワーク（ＷＷＡＮ）とも称される）は、基地局１０２、ＵＥ１０４、および発展型パケットコア（ＥＰＣ）１６０を含む。基地局１０２は、マクロセル（高出力（high power）セルラ基地局）および／またはスモールセル（低出力（low power）セルラ基地局）を含み得る。マクロセルはｅＮＢを含む。スモールセルは、フェムトセル、ピコセル、およびミクロセルを含む。
【００１７】
[0033]基地局１０２（集合的に、発展型ユニバーサルモバイル電気通信システム（ＵＭＴＳ）地上無線アクセスネットワーク（Ｅ−ＵＴＲＡＮ）と称される）は、バックホールリンク１３２（たとえば、Ｓ１インターフェース）を通じてＥＰＣ１６０とインターフェース接続する。他の機能に加えて、基地局１０２は、以下の機能：ユーザデータの転送、無線チャネル暗号化および暗号解読、インテグリティ保護、ヘッダ圧縮、モビリティ制御機能（たとえば、ハンドオーバ、デュアル接続）、セル間干渉協調、接続セットアップおよびリリース、負荷バランシング（load balancing）、非アクセス層（ＮＡＳ）メッセージのための分配、ＮＡＳノード選択、同期、無線アクセスネットワーク（ＲＡＮ）共有、マルチメディアブロードキャストマルチキャストサービス（ＭＢＭＳ）、加入者および機器のトレース、ＲＡＮ情報管理（ＲＩＭ）、ページング、ポジショニング、および警告メッセージの配信、のうちの１つまたは複数を実行し得る。複数の基地局１０２は、バックホールリンク１３４（たとえば、Ｘ２インターフェース）を介して互いと直接的に、または間接的に（たとえば、ＥＰＣ１６０を通じて）通信し得る。バックホールリンク１３４は、有線またはワイヤレスであり得る。
【００１８】
[0034]基地局１０２は、ＵＥ１０４とワイヤレスに通信し得る。基地局１０２の各々は、それぞれの地理的カバレッジエリア１１０に対する通信カバレッジを提供し得る。重複する地理的カバレッジエリア１１０が存在し得る。たとえば、スモールセル１０２’は、１つまたは複数のマクロ基地局１０２のカバレッジエリア１１０と重複するカバレッジエリア１１０’を有し得る。スモールセルとマクロセルとの両方を含むネットワークは、異種（heterogeneous）ネットワークとして知られ得る。異種ネットワークはまた、ホーム発展型ノードＢ（ｅＮＢ）（ＨｅＮＢ）を含み得、それは、クローズド加入者グループ（ＣＳＧ）として知られる限られたグループにサービスを提供し得る。基地局１０２とＵＥ１０４との間の通信リンク１２０は、ＵＥ１０４から基地局１０２へのアップリンク（ＵＬ）（逆方向リンクとも称される）送信、および／または基地局１０２からＵＥ１０４へのダウンリンク（ＤＬ）（順方向リンクとも称される）送信を含み得る。通信リンク１２０は、空間多重化、ビームフォーミング、および／または送信ダイバーシチを含む、ＭＩＭＯアンテナ技術を使用し得る。通信リンクは、１つまたは複数のキャリアを通じ得る。基地局１０２／ＵＥ１０４は、各方向への送信のために使用される最大で合計Ｙｘ  ＭＨｚ（ｘ個のコンポーネントキャリア）のキャリアアグリゲーションにおいて割り当てられる、キャリア毎に最大Ｙ  ＭＨｚ（たとえば、５、１０、１５、２０ＭＨｚ）帯域幅のスペクトルを使用し得る。キャリアは、互いに隣接していることも、または隣接していないこともある。キャリアの割振りは、ＤＬおよびＵＬに関して非対称であり得る（たとえば、ＵＬよりＤＬについて、より多くのキャリアが、またはより少ないキャリアが、割り振られ得る）。コンポーネントキャリアは、１つのプライマリコンポーネントキャリア、および１つまたは複数のセカンダリコンポーネントキャリアを含み得る。プライマリコンポーネントキャリアは、プライマリセル（ＰＣｅｌｌ）と称され得、セカンダリコンポーネントキャリアは、セカンダリセル（ＳＣｅｌｌ）と称され得る。
【００１９】
[0035]ワイヤレス通信システムは、５ＧＨｚアンライセンス周波数スペクトルにおいて通信リンク１５４を介してＷｉ−Ｆｉ局（ＳＴＡ）１５２と通信状態にあるＷｉ−Ｆｉアクセスポイント（ＡＰ）１５０をさらに含み得る。アンライセンス周波数スペクトルにおいて通信するとき、複数のＳＴＡ１５２／ＡＰ１５０は、チャネルが利用可能であるかどうかを決定するために、通信する前にクリアチャネルアセスメント（ＣＣＡ）を実行し得る。
【００２０】
[0036]スモールセル１０２’は、ライセンスおよび／またはアンライセンス周波数スペクトルにおいてオペレートし得る。アンライセンス周波数スペクトルにおいてオペレートするとき、スモールセル１０２’は、ＬＴＥを採用し、Ｗｉ−Ｆｉ  ＡＰ１５０によって使用されるものと同じ５ＧＨｚアンライセンス周波数スペクトルを使用し得る。スモールセル１０２’は、アンライセンス周波数スペクトルにおいてＬＴＥを採用して、アクセスネットワークに対するカバレッジを拡大（boost）させ得る、および／またはアクセスネットワークの容量を増加させ得る。アンライセンススペクトルにおけるＬＴＥは、ＬＴＥアンライセンス（ＬＴＥ−Ｕ）、ライセンス支援アクセス（ＬＡＡ：licensed assisted access）、またはＭｕＬＴＥｆｉｒｅと称され得る。
【００２１】
[0037]ミリメートル波（ｍｍＷ）基地局１８０は、ｍｍＷ周波数および／またはニアｍｍＷ周波数（near mmW frequencies）においてオペレートし得る。極高周波（ＥＨＦ：extremely high frequency）は、電磁スペクトルにおけるＲＦの一部である。ＥＨＦは、３０ＧＨｚから３００ＧＨｚまでのレンジおよび１ミリメートルと１０ミリメートルとの間の波長を有する。その帯域中の電波（radio waves）は、ミリメートル波と称され得る。ニアｍｍＷは、１００ミリメートルの波長をもつ３ＧＨｚの周波数に至るまで広がり得る。超高周波（ＳＨＦ）帯域は、３ＧＨｚと３０ＧＨｚとの間に広がり、センチメートル波とも称される。ｍｍＷ／ニアｍｍＷ無線周波数帯域を使用する通信は、極めて高いパスロスおよび短いレンジを有する。ｍｍＷ基地局１８０は、極めて高いパスロスおよび短いレンジを補償するためのビームフォーミング１８４を利用し得る。
【００２２】
[0038]ＥＰＣ１６０は、モビリティ管理エンティティ（ＭＭＥ）１６２、他のＭＭＥ（ｓ）１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者サーバ（ＨＳＳ）１７４と通信状態にあり得る。ＭＭＥ１６２は、ＵＥ１０４とＥＰＣ１６０との間のシグナリングを処理する制御ノードである。一般にＭＭＥ１６２は、ベアラおよび接続管理を提供する。すべてのユーザインターネットプロトコル（ＩＰ）パケットが、それ自体がＰＤＮゲートウェイ１７２に接続されているサービングゲートウェイ１６６を通じて転送される。ＰＤＮゲートウェイ１７２は、ＵＥ  ＩＰアドレス割振りと、それに加えて他の機能を提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役目をし得、地上波公共移動通信ネットワーク（ＰＬＭＮ）内でＭＢＭＳベアラサービスを認可および開始するために使用され得、およびＭＢＭＳ送信をスケジューリングするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳ関連課金情報を集めることを担い得る。
【００２３】
[0039]基地局はまた、ノードＢ、発展型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または何らかの他の適した専門用語としても称され得る。基地局１０２は、ＵＥ１０４にＥＰＣ１６０へのアクセスポイントを提供する。ＵＥ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（たとえば、ＭＰ３プレイヤ）、カメラ、ゲーム機、タブレット、スマートデバイス、ウェアラブルデバイス、または同様に機能するいずれの他のデバイスも含む。ＵＥ１０４はまた、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した用語としても称され得る。
【００２４】
[0040]図１を再び参照すると、ある特定の態様では、ＵＥ１０４／ｅＮＢ１０２は、ＰＲＡＣＨコンポーネント１９８を備え得る。ＵＥ１０４では、ＰＲＡＣＨコンポーネント１９８は、たとえば第１の距離、第１の距離より長い第２の距離、およびおよび／またはランダムホッピング距離を含む、複数のホッピング距離を使用して、ＰＲＡＣＨのトーンを送信するように構成され得る。ＰＲＡＣＨコンポーネント１９８は、たとえば図１２におけるコンポーネント１２０８、１２１０を備え得る。ｅＮＢ１０２は同様に、たとえば第１の距離、第１の距離より長い第２の距離、および／またはランダムホッピング距離を含む、複数のホッピング距離を有するＰＲＡＣＨのトーンをＵＥから受信するように構成されたＰＲＡＣＨコンポーネント１９８を備え得る。ｅＮＢにおけるＰＲＡＣＨコンポーネント１９８は、異なるホッピング距離を有するトーンのセットに基づいて、位相推定値を決定し得る。
【００２５】
[0041]図２Ａは、ＬＴＥにおけるＤＬフレーム構造の例を例示する図２００である。図２Ｂは、ＬＴＥにおけるＤＬフレーム構造内のチャネルの例を例示する図２３０である。図２Ｃは、ＬＴＥにおけるＵＬフレーム構造の例を例示する図２５０である。図２Ｄは、ＬＴＥにおけるＵＬフレーム構造内のチャネルの例を例示する図２８０である。他のワイヤレス通信技術は、異なるフレーム構造および／または異なるチャネルを有し得る。ＬＴＥでは、フレーム（１０ｍｓ）が、１０個の等しいサイズのサブフレームに分割され得る。各サブフレームは、２つの連続したタイムスロットを含み得る。リソースグリッドは、２つのタイムスロットを表すために使用され得、各タイムスロットは、１つまたは複数の時間コンカレント（time concurrent）なリソースブロック（ＲＢ）（物理ＲＢ（ＰＲＢ）とも称される）を含む。リソースグリッドは、複数のリソース要素（ＲＥ）に分割される。ＬＴＥにおいて通常のサイクリックプレフィックスでは、ＲＢは、周波数ドメインにおいて１２個の連続したサブキャリアを、時間ドメインにおいて７つの連続したシンボル（ＤＬではＯＦＤＭシンボル、ＵＬではＳＣ−ＦＤＭＡシンボル）を含み、合計８４個のＲＥになる。拡張されたサイクリックプレフィックスでは、ＲＢは、周波数ドメインにおいて１２個の連続したサブキャリアを、時間ドメインにおいて６つの連続したシンボルを含み、合計７２個のＲＥになる。各ＲＥによって搬送されるビット数は、変調スキームに依存する。
【００２６】
[0042]図２Ａで例示されているように、ＲＥのいくつかは、ＵＥでのチャネル推定のために、ＤＬ基準（パイロット）信号（ＤＬ−ＲＳ）を搬送する。ＤＬ−ＲＳは、セル固有基準信号（ＣＲＳ）（時に共通ＲＳとも呼ばれる）、ＵＥ固有基準信号（ＵＥ−ＲＳ）、およびチャネル状態情報基準信号（ＣＳＩ−ＲＳ）を含み得る。図２Ａは、アンテナポート０、１、２、および３（Ｒ０、Ｒ１、Ｒ２、およびＲ３、とそれぞれ示されている）のためのＣＲＳ、アンテナポート５（Ｒ５と示されている）のためのＵＥ―ＲＳ、およびアンテナポート１５（Ｒと示されている）のためのＣＳＩ―ＲＳを例示している。図２Ｂは、フレームのＤＬサブフレーム内の様々なチャネルの例を例示している。物理制御フォーマットインジケータチャネル（ＰＣＦＩＣＨ）は、スロット０のシンボル０内にあり、物理ダウンリンク制御チャネル（ＰＤＣＣＨ）が占めるのが、１シンボルか、２シンボルか、または３シンボルか（図２Ｂは、３シンボルを占めるＰＤＣＣＨを例示している）を示す制御フォーマットインジケータ（ＣＦＩ）を搬送する。ＰＤＣＣＨは、１つまたは複数の制御チャネル要素（ＣＣＥ）内でダウンリンク制御情報（ＤＣＩ）を搬送し、各ＣＣＥは、９つのＲＥグループ（ＲＥＧ）を含み、各ＲＥＧは、１つのＯＦＤＭシンボルにおいて４つの連続したＲＥを含む。ＵＥは、これもまたＤＣＩを搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは、２つのＲＢペアを図示しており、各サブセットは、１つのＲＢペアを含む）。物理ハイブリット自動再送要求（ＡＲＱ）（ＨＡＲＱ）インジケータチャネル（ＰＨＩＣＨ）もまた、スロット０のシンボル０内にあり、物理アップリンク共有チャネル（ＰＵＳＣＨ）に基づいて、ＨＡＲＱ確認応答（acknowledgement）（ＡＣＫ）／否定ＡＣＫ（ＮＡＣＫ）フィードバックを示すＨＡＲＱインジケータ（ＨＩ）を搬送する。プライマリ同期チャネル（ＰＳＣＨ）は、フレームのサブフレーム０および５内のスロット０のシンボル６内にあり、サブフレームタイミングおよび物理レイヤ識別情報（identity）を決定するためにＵＥによって使用されるプライマリ同期信号（ＰＳＳ）を搬送する。セカンダリ同期チャネル（ＳＳＣＨ）は、フレームのサブフレーム０および５内のスロット０のシンボル５内にあり、物理レイヤセル識別グループ番号を決定するためにＵＥによって使用されるセカンダリ同期信号（ＳＳＳ）を搬送する。物理レイヤ識別情報および物理レイヤセル識別グループ番号に基づいて、ＵＥは、物理セル識別子（ＰＣＩ）を決定し得る。ＰＣＩに基づいて、ＵＥは、上述のＤＬ−ＲＳの位置を決定し得る。物理ブロードキャストチャネル（ＰＢＣＨ）は、フレームのサブフレーム０のスロット１のシンボル０、１、２、３内にあり、マスタ情報ブロック（ＭＩＢ）を搬送する。ＭＩＢは、ＤＬシステム帯域幅中のＲＢの数、ＰＨＩＣＨ構成、およびシステムフレーム番号（ＳＦＮ）を提供する。物理ダウンリンク共有チャネル（ＰＤＳＣＨ）は、ユーザデータ、システム情報ブロック（ＳＩＢ）のようなＰＢＣＨを通じて送信されないブロードキャストシステム情報、およびページ���グメッセージを搬送する。
【００２７】
[0043]図２Ｃで例示されているように、ＲＥのいくつかは、ｅＮＢにおけるチャネル推定のために、復調基準信号（ＤＭ−ＲＳ）を搬送する。ＵＥは加えて、サブフレームの最後のシンボルにおいてサウンディング基準信号（ＳＲＳ）を送信し得る。ＳＲＳはコーム（comb）構造を有し得、ＵＥは、コームのうちの１つ上でＳＲＳを送信し得る。ＳＲＳは、ＵＬ上での周波数依存スケジューリングを可能とするチャネル品質推定のためにｅＮＢによって使用され得る。図２Ｄは、フレームのＵＬサブフレーム内の様々なチャネルの例を例示している。物理ランダムアクセスチャネル（ＰＲＡＣＨ）は、ＰＲＡＣＨ構成に基づいたフレーム内の１つまたは複数のサブフレーム内にあり得る。ＰＲＡＣＨは、１つのサブフレーム内に６つの連続したＲＢペアを含み得る。ＰＲＡＣＨは、ＵＥが初期（initial）システムアクセスを実行し、ＵＬ同期を実現することを可能にする。物理アップリンク制御チャネル（ＰＵＣＣＨ）は、ＵＬシステム帯域幅の両端に位置し得る。ＰＵＣＣＨは、スケジューリングリクエスト、チャネル品質インジケータ（ＣＱＩ）、プリコーディングマトリクスインジケータ（ＰＭＩ）、ランクインジケータ（ＲＩ）、およびＨＡＲＱ  ＡＣＫ／ＮＡＣＫフィードバックのようなアップリンク制御情報（ＵＣＩ）を搬送する。ＰＵＳＣＨはデータを搬送し、加えて、バッファステータスレポート（ＢＳＲ）、電力ヘッドルームレポート（ＰＨＲ）、および／またはＵＣＩを搬送するために使用され得る。
【００２８】
[0044]図３は、アクセスネットワークにおいてＵＥ３５０と通信状態にあるｅＮＢ３１０のブロック図である。ＤＬでは、ＥＰＣ１６０からのＩＰパケットがコントローラ／プロセッサ３７５に提供され得る。コントローラ／プロセッサ３７５は、レイヤ３およびレイヤ２の機能性を実装する。レイヤ３は、無線リソース制御（ＲＲＣ）レイヤを含み、レイヤ２は、パケットデータコンバージェンスプロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（たとえば、ＭＩＢ、ＳＩＢ）のブロードキャスト、ＲＲＣ接続制御（たとえば、ＲＲＣ接続ページング、ＲＲＣ接続確立、ＲＲＣ接続変更、およびＲＲＣ接続解放）、インター無線アクセス技術（ＲＡＴ）モビリティ、ＵＥ測定報告のための測定構成に関連付けられたＲＲＣレイヤ機能性；ヘッダ圧縮／圧縮解除、セキュリティ（暗号化、暗号解読、インテグリティ保護、インテグリティ検証）、およびハンドオーバサポート機能に関連付けられたＰＤＣＰレイヤ機能性；上位レイヤパケットデータユニット（ＰＤＵ）の転送、ＡＲＱを通じた誤り訂正、ＲＬＣサービスデータユニット（ＳＤＵ）の連結とセグメント化と再構築（reassembly）、ＲＬＣデータＰＤＵの再セグメント化、およびＲＬＣデータＰＤＵの再順序付けに関連付けられたＲＬＣレイヤ機能性；ならびに論理チャネルとトランスポートチャネルとの間のマッピング、トランスポートブロック（ＴＢ）へのＭＡＣ  ＳＤＵの多重化、ＴＢからのＭＡＣ  ＳＤＵの逆多重化、スケジューリング情報報告、ＨＡＲＱを通じた誤り訂正、優先処理（priority handling）、および論理チャネル優先順位付けに関連付けられたＭＡＣレイヤ機能性を提供する。
【００２９】
[0045]送信（ＴＸ）プロセッサ３１６および受信（ＲＸ）プロセッサ３７０は、様々な信号処理機能に関連付けられたレイヤ１の機能性を実装する。物理（ＰＨＹ）レイヤを含むレイヤ１は、トランスポートチャネル上での誤り検出、トランスポートチャネルの前方向誤り訂正（ＦＥＣ）コーディング／復号、インターリービング、レートマッチング、物理チャネル上へのマッピング、物理チャネルの変調／復調、およびＭＩＭＯアンテナ処理を含み得る。ＴＸプロセッサ３１６は、様々な変調スキーム（たとえば、２相位相変調（ＢＰＳＫ）、４相位相変調（ＱＰＳＫ）、Ｍ相位相変調（Ｍ−ＰＳＫ）、Ｍ値直交振幅変調（Ｍ−ＱＡＭ））に基づいて信号コンステレーションにマッピングすることをハンドリングする。コーディングおよび変調されたシンボルはその後、並列ストリームに分けられ得る。各ストリームはその後、ＯＦＤＭサブキャリアにマッピングされ、時間および／または周波数ドメインにおいて基準信号（たとえば、パイロット）と多重化され、その後逆高速フーリエ変換（ＩＦＦＴ）を使用して互いに組み合わされて、時間ドメインＯＦＤＭシンボルストリームを搬送する物理チャネルを作り出し得る。ＯＦＤＭストリームは、空間的にプリコーディングされて、複数の空間ストリームを作り出す。チャネル推定器３７４からのチャネル推定値は、コーディングおよび変調スキームを決定するためと、それに加えて空間処理のために使用され得る。チャネル推定値は、ＵＥ３５０によって送信されたチャネル状態フィードバックおよび／または基準信号から導出され得る。各空間ストリームはその後、別個の送信機３１８ＴＸを介して異なるアンテナ３２０に提供され得る。各送信機３１８ＴＸは、送信のためにそれぞれの空間ストリームでＲＦキャリアを変調し得る。
【００３０】
[0046]ＵＥ３５０において、各受信機３５４ＲＸは、そのそれぞれのアンテナ３５２を通じて信号を受信する。各受信機３５４ＲＸは、ＲＦキャリア上に変調された情報を復元し、情報を受信（ＲＸ）プロセッサ３５６に提供する。ＴＸプロセッサ３６８およびＲＸプロセッサ３５６は、様々な信号処理機能に関連付けられたレイヤ１の機能性を実装する。ＲＸプロセッサ３５６は、情報に対して空間処理を実行して、ＵＥ３５０に宛てられたいずれの空間ストリームも復元し得る。複数の空間ストリームがＵＥ３５０に宛てられている場合、それらは、ＲＸプロセッサ３５６によって組み合わされて単一のＯＦＤＭシンボルストリームになり得る。ＲＸプロセッサ３５６はその後、ＯＦＤＭシンボルストリームを、高速フーリエ変換（ＦＦＴ）を使用して時間ドメインから周波数ドメインにコンバートする。周波数ドメイン信号は、ＯＦＤＭ信号の各サブキャリアに対して別個のＯＦＤＭシンボルストリームを備える。各サブキャリア上のシンボル、および基準信号は、ｅＮＢ３１０によって送信された最も可能性の高い（most likely）信号コンステレーションポイントを決定することによって復元および復調される。これらの軟判定は、チャネル推定器３５８によって計算されたチャネル推定値に基づき得る。軟判定はその後、復号およびデインターリーブされて、物理チャネル上でｅＮＢ３１０によって元々送信されたデータおよび制御信号を復元する。データおよび制御信号はその後、レイヤ３およびレイヤ２の機能性を実装するコントローラ／プロセッサ３５９に提供される。
【００３１】
[0047]コントローラ／プロセッサ３５９は、プログラムコードおよびデータを記憶するメモリ３６０に関連付けられ得る。メモリ３６０は、コンピュータ可読媒体と称され得る。ＵＬでは、コントローラ／プロセッサ３５９は、ＥＰＣ１６０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３５９はまた、ＨＡＲＱオペレーションをサポートするために、ＡＣＫおよび／またはＮＡＣＫプロトコルを使用する誤り検出も担う。
【００３２】
[0048]ｅＮＢ３１０によるＤＬ送信に関係して説明された機能性と同様に、コントローラ／プロセッサ３５９は、システム情報（たとえば、ＭＩＢ、ＳＩＢ）獲得、ＲＲＣ接続、および測定報告に関連付けられたＲＲＣレイヤ機能性；ヘッダ圧縮／圧縮解除、およびセキュリティ（暗号化、暗号解読、インテグリティ保護、インテグリティ検証）に関連付けられたＰＤＣＰレイヤ機能性；上位レイヤＰＤＵの転送、ＡＲＱを通じた誤り訂正、ＲＬＣ  ＳＤＵの連結とセグメント化と再構築、ＲＬＣデータＰＤＵの再セグメント化、およびＲＬＣデータＰＤＵの再順序付けに関連付けられたＲＬＣレイヤ機能性；ならびに論理チャネルとトランスポートチャネルとの間のマッピング、ＴＢ上へのＭＡＣ  ＳＤＵの多重化、ＴＢからのＭＡＣ  ＳＤＵの逆多重化、スケジューリング情報報告、ＨＡＲＱを通じた誤り訂正、優先処理、および論理チャネル優先順位付けに関連付けられたＭＡＣレイヤ機能性を提供する。
【００３３】
[0049]ｅＮＢ３１０によって送信されたフィードバックまたは基準信号からチャネル推定器３５８によって導出されたチャネル推定値は、適切なコーディングおよび変調スキームを選択するために、および空間処理を容易にするために、ＴＸプロセッサ３６８によって使用され得る。ＴＸプロセッサ３６８によって生成された複数の空間ストリームは、別個の送信機３５４ＴＸを介して異なるアンテナ３５２に提供され得る。各送信機３５４ＴＸは、送信のためにそれぞれの空間ストリームでＲＦキャリアを変調し得る。
【００３４】
[0050]ＵＬ送信は、ＵＥ３５０での受信機機能に関係して説明されたものと同様の形式で、ｅＮＢ３１０で処理される。各受信機３１８ＲＸは、そのそれぞれのアンテナ３２０を通じて信号を受信する。各受信機３１８ＲＸは、ＲＦキャリア上に変調された情報を復元し、情報をＲＸプロセッサ３７０に提供する。
【００３５】
[0051]コントローラ／プロセッサ３７５は、プログラムコードおよびデータを記憶するメモリ３７６に関連付けられ得る。メモリ３７６は、コンピュータ可読媒体と称され得る。ＵＬでは、コントローラ／プロセッサ３７５は、ＵＥ３５０からのＩＰパケットを復元するために、トランスポートチャネルと論理チャネルとの間での逆多重化、パケット再構築、暗号解読、ヘッダ圧縮解除、制御信号処理を提供する。コントローラ／プロセッサ３７５からのＩＰパケットは、ＥＰＣ１６０に提供され得る。コントローラ／プロセッサ３７５はまた、ＨＡＲＱオペレーションをサポートするために、ＡＣＫおよび／またはＮＡＣＫプロトコルを使用する誤り検出を担う。
【００３６】
[0052]ＮＢワイヤレス通信は、狭帯域の限定された周波数次元に起因した固有の課題を伴う。たとえば、ＮＢ  ＩＯＴは、システム帯域幅、たとえば２００Ｈｚ、の単一のリソースブロックに限定され得る。この狭帯域通信は、通常のＬＴＥキャリア内のリソースブロックを使用して「インバンド」に展開され得るか、またはＬＴＥキャリアのガード帯域内の未使用のリソースブロックにおいて展開され得るか、あるいは専用のスペクトルにおける展開のために「スタンドアローン」で展開され得る。複数のユーザ、たとえばＵＥが、狭帯域を利用し得る。ＵＥのうちのいくつかだけが特定の時間にアクティブであり得るが、ＮＢ通信は、そうしたマルチユーザ容量をサポートすべきである。
【００３７】
[0053]加えて、ＮＢは、複数の環境にあるデバイスが異なるカバレッジ拡張（ＣＥ）レベルを要求することに対処することによって、深いカバレッジに備えることが必要であり得る。たとえば、いくつかのデバイスは、２０ｄＢ程度のＣＥを必要とし得、それは結果としてより大きなアップリンクＴＴＩバンドリングをもたらし、さらには時間リソースを限定する。
【００３８】
[0054]ＮＢ−ＩＯＴ通信はまた、大規模セル半径範囲（radius）、たとえば、おおよそ３５ｋｍ程度、を伴い得る。したがって、通信は、２００μｓのような長い遅延伴い得、それは、長いサイクリックプレフィクス（ＣＰ）長を伴い得る。
【００３９】
[0055]効果的であるために、ＮＢ通信は、１％未満のフォールスアラームレートおよびおおよそ１％未満のミス検出レートを提供すべきである。
【００４０】
[0056]送信機は、該送信機と、対応する受信機との間のタイミングオフセット推定値を推定する必要があり得る。したがって、そうしたタイミングオフセットが、通常のサイクリックプレフィクス（ＮＣＰ）内、たとえば、＜おおよそ４．７μｓ、であることが好ましいことがある。
【００４１】
[0057]各方向への送信が異なるタイムスロットにおいて同じキャリア上で行われ得る双方向通信のモードを提供する時分割デュプレックス（ＴＤＤ）を、狭帯域通信が備えることは、有益であり得る。たとえば、連続したＵＬサブフレームは、ＴＢＢ構成、たとえば１ｍｓ、２ｍｓ、３ｍｓ、によって限定され得る。
【００４２】
[0058]狭帯域通信のためのＰＲＡＣＨは、ベースラインとして単一トーンのＵＥを備え得る。ＰＲＡＣＨは、送信機と受信機との間、たとえばＵＥとｅＮＢとの間の残留周波数エラーが＋／−５０Ｈｚ内になるように構成され得る。単一トーンのＰＲＡＣＨ設計は、固定のホッピング距離および／またはランダムホッピング距離を含み得る。送信機と受信機との間の通信には、少なくとも２つのエラーのソースがあり得る。第１に、通信は周波数エラーを伴い得、第２に、通信はタイミングオフセットを伴い得る。
【００４３】
[0059]ＰＲＡＣＨは、少なくとも４つのシンボルを含み得る。ＰＲＡＣＨのうちの２つのシンボルは、周波数エラー推定のために同じトーンで送信され得る。２つのシンボルは、周波数オフセット補償の後のタイミング推定のために異なるトーンにあり得る。２つのシンボルが異なるトーンで送られるとき、タイミングオフセットは、位相差として残ることになる。この位相差は、タイミングオフセットを識別するために抽出され得る。さらなるセットのシンボルがＰＲＡＣＨのために使用され得、４つのシンボルは単なる一例に過ぎない。
【００４４】
[0060]図４は、トーン間に固定のトーンホッピング距離とランダムトーンホッピング距離との両方を伴う４つの４０２、４０４、４０６、４０８を備える例となるＮＢ  ＰＲＡＣＨ４００を例示する。トーン４０２、４０４、４０６、４０８の各々は、システム帯域幅の単一のリソースブロックのみを占める。さらに、ＰＲＡＣＨトーン間隔は、通常のデータ送信より小さくなり得る。したがって、１つのＲＢ帯域幅にはより多くのトーンがあり得る。通常のＬＴＥデータ送信では、通常のトーン間隔の１５ＫＨｚに基づいて１ＲＢ＝１２トーンである。ＰＲＡＣＨでは、トーン間隔は、より小さいくなり得る。たとえばＬＴＥでは、ＰＲＡＣＨトーン間隔は１５ｋｈｚ／１２であり得、結果として、１２＊１２＝１４４トーンをもたらす。ＮＢ−ＩＯＴ  ＰＲＡＣＨのような狭帯域の例では、トーン間隔は代わりに１５ｋｈｚ／１６であり得、そのため、合計１６＊１２トーンが、１ＲＢ内にあり得る。このことは、より小さいＮＢ  ＰＲＡＣＨ間隔の一例であるだけで、通常のＬＴＥデータ送信より小さい他のそうした間隔が存在し得る。
【００４５】
[0061]ＰＲＡＣＨの第１のトーン４０２および第２のトーン４０４は、固定のトーンホッピング距離４１０分隔てられている。同様に、第３のシンボル４０６および第４のシンボル４０８は、第２の固定のトーンホッピング距離４１２分隔てられ得る。第２のトーン４０４および第３のトーン４０６は、ランダムホッピング距離４１４分隔てられ得る。たとえば、固定のトーンホッピング距離４１０が５であり、第１のトーン４０２がトーン位置０にある場合、第２のトーン４０４は、トーン位置５にあるだろう。第３のトーン４０６は、必ずしもトーン位置１０にあるわけではない。代わりに、第３のトーン４０６は、トーン７またはトーン位置２にある、たとえば、ＰＲＡＣＨの第２のトーン４０４からランダム距離のところにあり得る。第４のトーン４０８がその後、第３のトーン４０６から固定の距離４１２のところで後に続くだろう。固定の距離４１２は、固定の距離４１０と同じ、たとえば５、であり得る。この例では、第３のトーンがトーン位置２にある場合、第４のトーン４０８は、トーン位置７にあるだろう。代わりに、第３のトーンがトーン位置７にある場合、第４のトーンは、トーン位置１２にあるだろう。しかしながら固定の距離４１２は、固定の距離４１０とは異なることがある。
【００４６】
[0062]示されているように、狭帯域通信は、通常のＬＴＥキャリア内のリソースブロックを利用して、「インバンド」に展開され得る。このことは、広帯域ＬＴＥへの干渉を引き起こし得、干渉は、高いＳＮＲでより厳しい。また、信号のロス、およびシンボル間干渉（ＩＳＩ）の増加もあり得る。
【００４７】
[0063]ある特定のレンジ内にタイミングオフセット推定のタイミングエラーを維持することは重要であり得る。ＮＢ送信機は、複数の固定のホッピング距離を使用してＰＲＡＣＨを送信することによって、タイミング推定の正確性を向上させ得る。
【００４８】
[0064]ＰＲＡＣＨのタイミング正確性は、ＰＲＡＣＨに使用されるトーンホップ距離によって影響を受け得る。トーン間の距離は、タイミングオフセットを決定する際に使用され得るスケーリングを提供する。タイミング推定の正確性は、ＰＲＡＣＨに使用されるトーンホップ距離とともに高まる。しかしながら、たとえばｅＮＢから離れているＵＥについてトーンホップ距離を増加させることは問題であり得、なぜならそれらはより長い遅延を経験するからである。したがって、異なるＰＲＡＣＨトーンホップ距離が、タイミング推定を改善し、深いカバレッジ中のＵＥのニーズを満たすために使用され得る。
【００４９】
[0065]低いＣＥレベルは、より大きいトーンホッピング間隔から利益を得ることができる。低いＣＥレベルを有するＵＥは、たとえば、より良好なＲＳＲＰ結果およびより高いＳＮＲを有し、それによってより小さい遅延を経験し得る。トーンホッピング距離を増加させることによって、タイミング推定の正確性は、低いＣＥレベルのそのようなＵＥについて向上させられる。しかしながら、より高いＣＥレベルを経験する、即ち、より悪いＲＳＲＰ結果およびより低いＳＮＲを有するＵＥは、ｅＮＢからより離れている可能性があり、おそらくより大きい遅延を経験するだろう。より大きいトーンホッピング距離は、これらのよりＣＥレベルが高いＵＥについてのアンビギュイティ（ambiguity）の増加に繋がり得る。したがって、より短いトーンホッピング距離のＰＲＡＣＨが、よりＣＥレベルが高いＵＥについてより有益であり得る。よりＣＥレベルが低いＵＥとよりＣＥレベルが高いＵＥとの両方のニーズに対処するために、ＰＲＡＣＨは、２つの異なるトーンホッピング距離、たとえば、より短いトーンホッピング距離およびより大きいトーンホッピング距離を使用して送信され得る。より大きいトーンホッピング距離はタイミング推定の正確性を向上させ得る一方で、より大きいトーンホッピング間隔は、より大きい遅延を経験するよりＣＥレベルが高いＵＥについてのアンビギュイティに繋がり得る。２つの異なるトーンホッピング距離を使用することによって、より小さいトーンホッピング間隔が、より大きいトーンホッピング間隔からのアンビギュイティを解消するのを助けるために使用され得る。
【００５０】
[0066]ＰＲＡＣＨのタイミング正確性は、トーンホップ距離に関する。より高いＣＥレベルにあるＵＥは、より悪いＲＳＲＰと低いＳＮＲをもつものであり、それによりｅＮＢからの距離に起因してより大きい遅延を経験する可能性がある。より高いＣＥレベルにあるＵＥのタイミング正確性を向上させるために異なるトーンホップ距離が、高いＣＥレベルにある同じＵＥに使用され得る。したがって、１つのトーンホッピング距離は、ＵＥによって経験され得るより大きい遅延をカバーするために短いトーンホッピング距離を提供し得る。別のセットのシンボルが、ＰＲＡＣＨのタイミング正確性を高めるために、より大きいホッピング距離で送信され得る。図５は、より小さいトーンホッピング距離ｄ１を使用して送信されるトーン５０２ａ、５０２ｂの第１のセット、およびより大きいトーンホッピング距離ｄ２を使用して送信されるトーン５０４ａ、５０４ｂの第２のセットを図示する例を例示している。２つのトーン、たとえば５０２ａ、５０２ｂ、および５０４ａ、５０４ｂ、が２つの異なる固定のホッピング距離ｄ１、ｄ２について例示されているけれども、任意の数のトーンが、固定のホッピング距離ｄ１、ｄ２の各々で送信され得る。たとえば、例示されていないが４つのトーンが、より大きいホッピング距離ｄ２である数のトーンを送信する前に、より短いホッピング距離ｄ１を使用して送信され得る。加えて、例示されていないが４つのトーンが、トーン間で異なるホッピング距離を使用する前に、より長いホッピング距離ｄ２で送信され得る。さらに、２つの異なる固定のホッピング距離で使用されるトーンの数は異なり得る。たとえば、数ｎ１のトーンが、隣接するトーン間でｄ１のホッピング距離を使用して送信され得、第２の数ｎ２のトーンが、隣接するトーン間で第２のホッピング距離ｄ２を使用して送信され得る。数ｎ１、ｎ２は、同じであり得るか、または異なり得る。加えて、短いおよび長いホッピング距離を使用するパターンは、たとえばトーン５０６ａ、５０６ｂについてホッピング距離ｄ１を、およびトーン５０８ａ、５０８ｂについてホッピング距離ｄ２を使用することによって、繰り返され得る。
【００５１】
[0067]一例では、ｄ２はｄ１の任意の整数の倍数であり得、たとえば、ｎ＞１のｄ２＝ｎ＊ｄ１である。ｄ２＝２＊ｄ１であり、第１のトーン５０２ａが位置トーン２にある場合、第２のトーン５０２ｂは、トーン７にあることになり、その結果ｄ１＝５である。この例では、ｄ２＝１０である。第２のトーン（トーン７）と第３のトーンとの間の隔たりはランダムであり得る。たとえば、第３のトーンは、ｄ２＝１０であるから、トーン１０に第４のトーンを有するトーン０にあり得る。第３のトーン、たとえば５０４ａは、必ずしもトーン０にあるわけではない。ランダムホッピング距離もまた、ＰＲＡＣＨのトーン間で採用され得る。たとえば、第３のトーン５０４ａは、たとえば図４に関係して４１４について例示されているような、第２のトーン５０２ｂからランダムホッピング距離のところにあり得る。しかしながら、第３のトーンに続くトーン、たとえば第４のトーン５０４ｂは、第３のトーンから１０の距離を有するだろう。要求されるのは特定のトーンではなく、代わりにトーン間の距離、たとえばｄ１およびｄ２、およびｄ１とｄ２の関係、たとえばｄ２＝ｄ１＊ｎである。
【００５２】
[0068]図７で例示されているように、ＰＲＡＣＨはまた、さらなるセットのトーン、たとえば７０６、７０８、も含み得る。
【００５３】
[0069]ホッピング距離ｄ１およびｄ２は、異なるサイズの固定のホッピング距離であり得る。これらのホッピング距離は、ランダムホッピング距離に関係して使用され得る。たとえば、図６は、短いホッピング距離ｄ１のトーンと、より大きいホッピング距離ｄ２のトーンとの間のランダムホッピング距離ｄ３を例示している。固定のホッピング距離は、基準のトーンに関連し得る。基準トーンは、より短い固定のホッピング距離とより長い固定のホッピング距離との両方にとって同じであり得る。
【００５４】
[0070]ホッピング距離は、ＰＲＡＣＨについてのパターン、たとえば別のランダムホッピング距離が使用される前に、あるランダムホッピング距離が使用され、短いホッピング距離、長いホッピング距離、そして短いホッピング距離が続き得る、で循環し得る。パターンはその後、たとえば、ランダムホッピング距離、短いホッピング距離、長いホッピング距離、短いホッピング距離、ランダムホッピング距離、短いホッピング距離、長いホッピング距離、短いホッピング距離、ランダムホッピング距離…または他のバリエーションを繰り返し得る。
【００５５】
[0071]受信機は、少なくとも２つの異なる固定のホッピング距離にあるＰＲＡＣＨトーンを受信し得、タイミングオフセット推定値を決定するために２つの固定のホッピング距離を使用し得る。たとえば、受信機はまず、たとえば図７で例示されているようなトーンホッピング距離（ｄ１、ｄ２）のセットから、位相推定値ｐｈｉ１、ｐｈｉ２の２つのセットを決定し得る。その後受信機は、第２の位相推定値（ｐｈｉ２）に対応する仮説を選択するために、第１の位相推定値（ｐｈｉ１）を使用し得る。その後、第１の位相推定値は、選択された仮説に基づいて更新され得る。
【００５６】
[0072]受信機では、ｄ２／ｄ１の差が大きくなるほど、タイミング推定値仮説ｐｈｉ２はより良好になる。しかしながら、仮説の数が増えるほど、誤った仮説を選択する可能性が高くなり、このことは、不正確なタイミング推定につながり得る。
【００５７】
[0073]たとえば、ｄ２＝２＊ｄ１となるようにｄ２がｄ１の距離の２倍である場合、ｐｈｉ１についての３つのＰｈｉ推定値仮説は、ｐｈｉ２に基づき得、たとえば、
・ｐｈｉ１１＝ｐｈｉ２／２
・ｐｈｉ１２＝（ｐｈｉ２＋２ｐｉ）／２
・ｐｈｉ１３＝（ｐｈｉ２−２ｐｉ）／２
【００５８】
[0074]これらの３つの仮説を用いて、受信機は、最良の仮説を決定し得る：
・ｐｈｉ１ｎｅｗ＝ａｒｇｍｉｎ（｜ｐｈｉ１ｉ−ｐｈｉ１｜）
＝ｍｉｎ（｜ｐｈｉ１１−ｐｈｉ１｜，｜ｐｈｉ１２−ｐｈｉ１｜，｜ｐｈｉ１３−ｐｈｉ１｜）
【００５９】
[0075]その後、最後のｐｈｉ１推定値は、以下の通りであり得る：
・最後のｐｈｉ１ｅｓｔ＝（ｐｈｉ１ｎｅｗ＊２＋ｐｈｉ１）／３
【００６０】
[0076]遅延はその後、ｐｈｉ１ｅｓｔに対応するとして決定され得る。
【００６１】
[0077]この例は、ｄ２＝２＊ｄ１について提示されてきたけれども、異なる因数が、距離ｄ２とｄ１との間で使用され得る。たとえば、上記の３つのＰｈｉ推定値仮説に加えて、ｄ２＝４＊ｄ１である場合、さらなる仮説もまた存在するだろう：
・Ｐｈｉ１＿４＝（ｐｈｉ２＋４ｐｉ）／４
・Ｐｈｉ１＿５＝（ｐｈｉ２−４ｐｉ）／４
【００６２】
[0078]この例では、さらなるＰｈｉ推定値仮説を用いて、最後のｐｈｉ１推定値は、たとえば以下の通りであり得る：
・最後のｐｈｉ１ｅｓｔ＝（ｐｈｉ１ｎｅｗ＊４＋ｐｈｉ１）／５
【００６３】
[0079]最後のｐｈｉ１ｅｓｔは、ｐｈｉ１＿ｎｅｗとｐｈｉ１との重み付けされた組合せである。たとえば、重みについてのオプションは０を含み得る。
【００６４】
[0080]別の態様では、送信機は、カバレッジ拡張（ＣＥ）レベルに基づいて、ＮＢ  ＰＲＡＣＨの送信の相互間のトーンホッピング距離を使用または選択することによって、タイミング推定の正確性に対処し得る。図８Ａは、例となるＮＢワイヤレス通信システム８００を例示している。ｅＮＢ８０２は、境界８０４内のカバレッジエリアを提供する。複数のユーザ８０４は、ｅＮＢ８０２のカバレッジエリア８０４内にいる。これらのユーザは、すべてが同時にアクティブであるわけではないかもしれない。しかしながら、ＮＢ通信は、複数のユーザをサポートするように設計されるべきである。
【００６５】
[0081]良好なＲＳＲＰ結果および／または高いＳＮＲは通常、ＵＥ８０６がセル中央８０２に近いと意味するだろう。セル中央に近いほど、ｅＮＢとＵＥ８０６との間の通信について経験されるだろう遅延は小さくなる。
【００６６】
[0082]低いＲＳＲＰ結果またはより低いＳＮＲは、ある数のファクタのうちのいずれにも起因し得る。たとえば、そうした結果は、ＵＥ８０６がｅＮＢ８０２から遠く離れていることを示し得る。そのことはまた、たとえば、ＵＥ８０６がｅＮＢ８０２に物理的に近いが、地下に位置するか、またはＵＥ８０６とｅＮＢ８０２との間に他の障害物を有する場合、あまり望ましくないチャネルが通信に使用されることも意味し得る。これらの状況では、遅延は、たとえばＵＥ８０６がｅＮＢ８０２から遠い距離に位置するとき、より大きくなり得る。図８Ａは、ｅＮＢから異なる距離がある３つの半径範囲８０８、８１０、８１２を例示している。
【００６７】
[0083]ＰＲＡＣＨのタイミング正確性は、ＰＲＡＣＨに使用されるトーンホップ距離に結びつけられ得る。トーン間の距離は、タイミングオフセットを決定する際に使用されるスケーリングを提供する。タイミング推定の正確性は、ＰＲＡＣＨに使用されるトーンホップ距離とともに高まる。しかしながら、ｅＮＢ８０２から離れているＵＥ８０６についてのトーンホップ距離を増加させることは問題であり得、なぜならそれらが、より大きい遅延を経験するからである。したがって、異なるトーンホップ距離が、異なるＰＲＡＣＨ  ＣＥレベルに使用され得る。各ＰＲＡＣＨ  ＣＥレベルは、基準ＲＳＲＰ測定値または基準ＳＮＲ測定値に関連付けられ得る。したがって、ＵＥ８０６は、ＲＳＲＰ結果および／またはＳＮＲを使用して、そのＣＥレベルを決定し得る。
【００６８】
[0084]たとえば、第１のＣＥレベルは、第１の基準ＲＳＲＰおよび第１のＳＮＲに関連付けられ得る。これらの基準レベルは通常、ｅＮＢ８０２により近い半径範囲８０８内のＵＥに対応し得る。ＵＥ８０６が、それが、第１の基準ＲＳＲＰを上回るＲＳＲＰおよび／または第１の基準ＳＮＲを上回るＳＮＲを有すると決定するとき、ＵＥは、それが第１のＣＥレベル内にあると決定し得、第１のＣＥレベルに対応するとトーンホッピング距離を選択し得る。
【００６９】
[0085]第２のＣＥレベルは、第２の基準ＲＳＲＰおよび第２のＳＮＲに関連付けられ得る。これらの基準レベルは通常、第１の半径範囲８０８内のものほどｅＮＢ８０２に近くなく、かつ半径範囲８１２内のものより近い半径範囲８１０内のＵＥに対応し得る。しかしながら、ＣＥレベルがＲＳＲＰおよび／またはＳＮＲ測定値に基づくため、それはまた、半径範囲８０８内にあるが、悪いチャネルまたは他の問題を経験しているＵＥ８０４も包含し得る。ＵＥ８０６が、それが、第２の基準ＲＳＲＰを上回るが第１の基準ＲＳＲＰは上回らないＲＳＲＰ、および／または第２の基準ＳＮＲを上回るが第１の基準ＳＮＲは上回らないＳＮＲを有すると決定するとき、ＵＥは、それが第２のＣＥレベル内にあると決定し得、第２のＣＥレベルに対応するトーンホッピング距離を選択し得る。
【００７０】
[0086]第３のＣＥレベルは、第３の基準ＲＳＲＰおよび第３のＳＮＲに関連付けられ得る。これらの基準レベルは通常、第１の半径範囲８０８または第２の半径範囲８１０内のものほどｅＮＢ８０２に近くない半径範囲８１２内のＵＥに対応し得る。ＵＥ８０６が、それが、第３の基準ＲＳＲＰを上回るが第１および第２の基準ＲＳＲＰは上回らないＲＳＲＰ、および／または第３の基準ＳＮＲを上回るが第１および第２の基準ＳＮＲは上回らないＳＮＲを有すると決定するとき、ＵＥは、それが第３のＣＥレベル内にあると決定し得、第３のＣＥレベルに対応するトーンホッピング距離を選択し得る。
【００７１】
[0087]第４のＣＥレベルは、カバレッジエリア８０４内にあるが、半径範囲８０８、８１０、および８１２中のものより離れているＵＥに対応し得る。ＵＥ８０６が、それが、第１、第２、または第３の基準ＲＳＲＰを上回らないＲＳＲＰ、および／または第１、第２、および第３の基準ＳＮＲを上回らないＳＮＲを有すると決定するとき、ＵＥは、それが第４のＣＥレベル内にあると決定し得、第４のＣＥレベルに対応するとトーンホッピング距離を選択し得る。
【００７２】
[0088]この例は、４つのＣＥレベルを含んでいるけれども、このことは単に、トーンホッピング距離を選択するためのＣＥレベルの決定を例示するために過ぎない。いずれの数のＣＥレベルも確立され、トーンホッピング距離に関連付けられ得る。
【００７３】
[0089]より良好なＲＳＲＰ結果および／またはより高いＳＮＲ測定値を有するＣＥレベルでは、ＵＥ８０６はおそらく、ｅＮＢ８０２により近く、より小さい遅延を経験するだろう。したがって、より大きいトーンホッピング距離がＵＥについてのＰＲＡＣＨのトーン間で使用され得る。図８Ａでは、第１のＣＥレベルの基準を満たし、それによりおそらく半径範囲８０８内にあるＵＥ８０４は、半径範囲８０８の外のものより大きいＰＲＡＣＨトーンホッピング距離を使用し得る。
【００７４】
[0090]第２のＣＥレベルの測定基準を満たしているＵＥは、おそらく第２の半径範囲８１０内に位置するが、半径範囲８０８の外にある。したがって、これらのＵＥは、おそらく第１のＣＥレベルのものよりいくらか大きい遅延を経験するだろう。したがって、第２のＣＥレベルのＵＥは、第１のＣＥレベルのＵＥより小さいＰＲＡＣＨトーンホッピング距離を使用し得る。これらのＵＥはまた、おそらく半径範囲８１０の外のものより小さい遅延を経験するだろう。したがって、第２のＣＥレベルについてのトーンホッピング距離は、第３および第４のＣＥレベルについてのものより大きくなり得る。
【００７５】
[0091]第３のＣＥレベルの測定基準を満たしているＵＥは、おそらく第３の半径範囲８１２内に位置するが、半径範囲８０８および８１０の外にある。したがって、これらのＵＥは、おそらく第１および第２のＣＥレベルのものよりいくらか大きい遅延を経験するだろう。したがって、第３のＣＥレベルのＵＥは、遅延に関連付けられたＰＲＡＣＨ問題を被ることを回避するために、第１および第２のＣＥレベルのＵＥより小さいＰＲＡＣＨトーンホッピング距離を使用し得る。これらのＵＥはまた、おそらく半径範囲８１２の外のものより小さい遅延を経験するだろう。したがって、第３のＣＥレベルについてのトーンホッピング距離は、第４のＣＥレベルについてのものより大きくなり得る。
【００７６】
[0092]第１、第２、または第３のＣＥレベルの測定基準を満たしていないＵＥは、おそらくｅＮＢのカバレッジエリア８０４内に位置するが、半径範囲８０８、８１０、および８１２の外にある。したがって、これらのＵＥは、おそらく第１、第２、および第３のＣＥレベルのものより大きい遅延を経験するだろう。したがって、第４のＣＥレベルのＵＥは、遅延に関連付けられたＰＲＡＣＨ問題を被ることを回避するために、第１、第２、および第３のＣＥレベルのＵＥより小さいＰＲＡＣＨトーンホッピング距離を使用し得る。
【００７７】
[0093]したがって、４つのＣＥレベルのうち、第１のＣＥレベルのＰＲＡＣＨトーンホッピング距離が最長になり得、第４のＣＥレベルのＰＲＡＣＨトーンホッピング距離が最短になり得る。
【００７８】
[0094]図８Ｂは、図８Ａで例示されているような、低いＣＥレベルおよび高いＣＥレベルについてのトーンホッピング間隔の差を例示する。低いＣＥレベルについての基準を満たすＵＥ、即ち、より良好なＲＳＲＰ結果およびより高いＳＮＲを有し、それによってより小さい遅延を経験しているもの、は、より高いＣＥレベルのＵＥのものより大きいトーンホッピング間隔８０２を有する。トーンホッピング距離を増加させることによって、タイミング推定の正確性は向上させられる。
【００７９】
[0095]低いＣＥレベルの基準を満たさない、即ち、低いＣＥレベルより悪いＲＳＲＰ結果およびより低いＳＮＲを有するＵＥは、したがって、ｅＮＢ８０２からより離れている可能性があり、おそらくより大きい遅延を経験するだろう。したがって、高いＣＥレベルについてのトーンホッピング距離８０４は、低いＣＥレベルについてのものより小さい。より大きいトーンホッピング距離がタイミング推定の正確性を向上させられるだろう一方で、より大きいトーンホッピング間隔は、より大きい遅延を経験するＵＥにとって問題である。したがって、より小さいトーンホッピング間隔が使用され得る。
【００８０】
[0096]図９は、態様がさらに、送信リソースのユーザ多重化セット９００を含み得ることを例示する。ＮＢのリソースを管理することは、異なる電力クラスに対してＦＤＭを使用することを含み得る。たとえば、領域とも称される複数の送信リソースが、異なるＣＥレベルに対して確立され得る。図９で例示されているように、領域は、互いにインターレースされ得る。
【００８１】
[0097]一例では、送信機は、ランダムホッピングを使用し得るが、そのそれぞれのＣＥレベルに対する送信リソース内でランダムホップを実行し得る。
【００８２】
[0098]そうしたユーザ多重化は、送信機のＣＥレベルに応じて、より大きいトーンホッピング距離の使用と組み合わせて使用され得る。このことはまた、トーンホッピング距離の２つのセットの使用を含み得、トーン間で、１つはより小さい距離をもち、１つはより大きい距離をもつ。トーンホッピング距離の２つのセットの使用は、より高いＣＥレベルに関係して使用さえ得るのに対して、最低のＣＥレベルは、単一の、より長いトーンホッピング距離しか必要としないことがある。
【００８３】
[0099]ＵＥは、ある数の方法のうちのいずれでも、異なるＣＥレベルに対する送信リソースに関する情報を取得し得る。たとえば、情報はＵＥにシグナリングされ得る。一例では、ＵＥは、ＰＲＡＣＨを送信する前に、あるＣＥレベルに対する送信リソースに関する明示的なシグナリングをｅＮＢから受信し得る。そうしたシグナリングは、システム情報ブロック（複数を含む）（ＳＩＢ（ｓ））としてＵＥに送られ得る。別の例では、ＣＥレベルに対する送信リソースは、固定または標準化され、ＵＥによって既知であり得る。別の例では、異なるＣＥレベルに対して送信リソースセットのいくつかの固定または既知のオプションがあり得る。その後、ＵＥが、オプションのうちのどれが、その特定のＰＲＡＣＨ送信に使用されるべきかを知るように、それらのオプションのうちの１つがＵＥにシグナリングされ得る。
【００８４】
[00100]マッピングは、ＰＲＡＣＨの第１のトーンの位置と、対応するデータ送信のためのデータリソースとの間に存在し得る。図１０は、トーン１００２のためのＰＲＡＣＨリソースがデータリソース１０１０に対応し、トーン１００４のためのＰＲＡＣＨリソースがデータリソース１０１２に対応し、トーン１００６のためのＰＲＡＣＨリソースがデータリソース１０１４に対応し、トーン１００８のためのＰＲＡＣＨリソースがデータリソース１０１６に対応することを例示している。このことは、ＵＥが、ｅＮＢからのデータメッセージがいつ来ると予期できるか（when to expect a data message）を知ることを可能にする。上で説明されたように、ＰＲＡＣＨについてのトーン間隔は、データ送信についてのトーン間隔とは異なり得る。たとえば、ＰＲＡＣＨについてのトーン間隔がＰＲＡＣＨ  １５ｋＨｚ／１６であり得る一方で、データ送信についてのトーン間隔は、１５ｋＨｚまたは３．７５Ｈｚであり得る。したがって、ＰＲＡＣＨの第１のトーン、たとえばｍｓｇ１、は、たとえばｍｓｇ２およびｍｓｇ３のためのある特定のトーンまたは時間グリッドに対応するデータ送信リソースにマッピングされ得る。
【００８５】
[00101]異なるＣＥレベルが、異なるタイミングアドバンス（ＴＡ）粒度に関連付けられ得る。たとえば、良好なＲＳＲＰ／高いＳＮＲを有する低いＣＥレベルは、より高いＴＡ粒度を使用し得る。より悪いＲＳＲＰ／より低いＳＮＲを有するより高いＣＥレベルのＵＥは、より低いＴＡ粒度を使用し得る。たとえば、ＣＥレベルが低いＵＥは、１ビットが０．５μｓに対応するＴＡ粒度を使用し得るのに対して、レベルが高いＵＥは、１ビットが１または２μｓに対応するＴＡ粒度を使用し得る。
【００８６】
[00102]ＣＥレベル決定は、ＵＥについてアイドル状態または接続状態のどちらかで実行され得る。たとえば、ＣＥレベル決定は、初期電力選択とともに行われ得る。
【００８７】
[00103]図１１は、ワイヤレス通信の方法のフローチャート１１００である。ワイヤレス通信は、ＮＢワイヤレス通信であり得る。狭帯域通信のタイプの中でとりわけ、該ワイヤレス通信は、ＮＢ−ＩＯＴであり得る。通信は、１ＲＢのような狭システム帯域幅に限定され得、マルチユーザ通信の能力を有し得る。方法は、ＵＥ（たとえば、ＵＥ１０４、３５０、８０４、１５５０、装置１２０２／１２０２’）のような送信機によって実行され得る。
【００８８】
[00104]１１０２で、ＵＥは、ＰＲＡＣＨの第１のトーンを送信する。１１０４で、ＵＥは、１１０２で送信された第１のトーンから第１のホッピング距離のところにあるＰＲＡＣＨの第２のトーンを送信する。１１０６で、ＵＥは、ＰＲＡＣＨの第３のトーンを送信し、１１０８で、ＵＥは、１１０６で送信された第３のトーンから第２のホッピング距離のところにあるＰＲＡＣＨの第４のトーンを送信する。トーンの命名、即ち第１のトーン、第２のトーン、第３のトーン、および第４のトーン、は、それらの送信に順序を帰するようには意味されない。たとえば、第３のトーンおよび第４は、第１および第２のトーンの前に送信され得る。
【００８９】
[00105]図４−図７で例示されているように、第１のトーンはｄ１であり得、第２のトーンはｄ２であり得る。たとえば、第２のホッピング距離はｄ２であり得、第１のホッピング距離、たとえばｄ１、より大きくあり得る。第２のホッピング距離は、１より大きい整数によって乗じられた第１のホッピング距離に対応し得る。したがって、第２のホッピング距離は、１より大きい整数によって乗じられた第１のホッピング距離、たとえばｄ２＝ｄ１＊ｎ、に対応し得、ｎは、１より大きいスケーラ、好ましくは整数である。
【００９０】
[00106]より大きいトーンホッピング距離、たとえばｄ２、の使用は、ＰＲＡＣＨについてのタイミング正確性を向上させ得る一方で、より短い距離、たとえばｄ１、は、ｅＮＢから離れているＵＥを許容し得る。したがって、この例では、第１および第２のトーンは、図５および／または図６におけるセット５０２または５０６のどちらかと同様であり得、第３および第４のトーンは、図５および／または図６におけるセット５０４または５０８と同様であり得る。
【００９１】
[00107]第１のホッピング距離および第２のホッピング距離は、異なる固定のホッピング距離であり得る。第１のトーンと第２のトーンとの間、および第３のトーンと第４のトーンとの間の固定の距離、たとえばｄ１またはｄ２と比較して、第１のトーン５０２ａと第３のトーン、５０４ａとの間のホッピング距離は、ランダムホッピング距離ｄ３に対応し得る。トーンの命名、即ち第１のトーン、第２のトーン等は、それらの送信に順序を帰するようには意味されない。一例では、ランダムホッピング距離は、異なる固定のホッピング距離を有するトーンのグループ間で採用され得る。一例では、固定のホッピング距離ｄ２を有する４つのトーンの第２のグループは、固定のホッピング距離ｄ１を有する４つのトーンの第１のグループの第４のトーンからランダムグループホッピング距離を有し得る。同様に、たとえばセット５０８中の第４のトーンと第１のトーン５０２ａとの間のホッピング距離は、ランダムホッピング距離に対応し得る。したがって、１１１０で、ＵＥは、ランダムホッピング距離を使用して、ＰＲＡＣＨのさらなるトーンを送信し得る。ＵＥは、パターン、たとえば、別のランダムホッピング距離が使用される前に、ランダムホッピング距離が使用され、短いホッピング距離、長いホッピング距離、そして短いホッピング距離が続き得る、を使用してＰＲＡＣＨトーンを送信し得る。パターンはその後、たとえば、ランダムホッピング距離、短いホッピング距離、長いホッピング距離、短いホッピング距離、ランダムホッピング距離、短いホッピング距離、長いホッピング距離、短いホッピング距離、ランダムホッピング距離…を繰り返し得る。
【００９２】
[00108]オプションの態様は、点線を用いて図１１で例示されている。
【００９３】
[00109]１１１２で例示されているように、ＵＥは、オプションとして、たとえば図８に関係して説明されたように、１１１６でＣＥレベルに基づいてホッピング距離を選択するために、そのＣＥレベルを決定し得る。ＣＥレベルは、図８に関係して説明されたように、ＵＥについてのＲＳＲＰまたはＳＮＲに基づいて決定され得る。その後、ＵＥは、第１のホッピング距離の選択をＣＥレベルの決定に基づかせ得る。たとえば、第１の距離は、ＣＥレベルが基準レベル未満であるときに第１のホッピング距離として選択され得、第２の距離は、ＣＥレベルが基準レベルを上回るときに第１のホッピング距離として選択され得、第１の距離は、第２の距離より大きい。したがって、図６および図７に関係して説明されたように、より大きいホッピング距離８１２が、より良好なＲＳＲＰ／高いＳＮＲを有する低いＣＥレベルのために選択され得、より小さいホッピング距離８１４が、より悪いＲＳＲＰ／低いＳＮＲを有する高いＣＥレベルのために選択され得る。
【００９４】
[00110]この例は、高いＣＥレベルについてであり得、ここでは、選択された第１のホッピング距離は、より小さい、たとえばｄ１と同様、であるだろう。
【００９５】
[00111]ＵＥはまた、１１１４で、リソース割振り情報を受信し得る。このリソース割振り情報は、ＣＥレベルに関連付けられたリソースをＵＥに通知し得る。たとえば、ＵＥは、送信リソース中のトーンをＣＥレベルにマッピングするリソース割振り情報を受信し得る。第１のトーン、第２のトーン、第３のトーン、および第４のトーンは、リソース割振り情報によって示された送信リソース内で送信され得る。図９に関係して説明されたように、各ＣＥレベルは、送信リソース中のトーンに関連付けられ得、送信リソースは互いにインターレースされ得る。
【００９６】
[00112]別の例では、ＣＥレベルは、固定の送信リソース中のトーンにマッピングし得、第１のトーン、第２のトーン、第３および第４のトーンは、固定の送信リソース内で送信され得る。
【００９７】
[00113]別の例では、ＣＥレベルは、複数の固定の送信リソース中のトーンにマッピングし得、ＵＥは、１１１４でＣＥレベルに対応するリソース割振り情報を受信し得る。第１のトーン、第２のトーン、第３のトーン、および第４のトーンはその後、リソース割振り情報によって示された固定の送信リソースのうちの１つ内で送信され得る。
【００９８】
[00114]第１のＣＥレベルが第２のＣＥレベルとは異なるＴＡ粒度に関連付けられるように、異なるＣＥレベルは異なるＴＡ粒度に関連付けられ得る。
【００９９】
[00115]ＰＲＡＣＨのためのトーン間の間隔は、対応するダウンリンクデータ送信のためのトーン間の間隔とは異なり得る。少なくとも第１のトーンは、たとえば図１０に関係して説明されたように、成功したＰＲＡＣＨ送信に続く対応するアップリンクデータ送信またはダウンリンクデータ送信のための位置にマッピングされ得る。このことは、ＵＥが、ｅＮＢからのデータ送信がどこに来ると予期できるかを知ることを可能にする。
【０１００】
[00116]図１２は、実例的な装置１２０２における異なる手段／コンポーネント間のデータフローを例示する概念上のデータフロー図１２００である。装置は、ＵＥであり得る。装置は、図４−図１０に関係して説明されたＰＲＡＣＨ送信のような、ｅＮＢ１２５０から通信１２２０を受信する受信コンポーネント１２０４、およびｅＮＢ１２５０に通信１２２２を送信する送信コンポーネント１２０６を含む。装置は、たとえば図４−図１０に関係して説明されたように、トーン間に少なくとも２つの異なるホッピング距離を有するＰＲＡＣＨの複数のトーンを生成するＰＲＡＣＨコンポーネント１２０８を含む。ＰＲＡＣＨコンポーネント１２０８は、ＰＲＡＣＨ送信のためにホッピング距離を決定するホッピング距離コンポーネント１２１０を含み得る。ホッピング距離は、２つの異なる固定の距離およびランダムホッピング距離等を含み得る。
【０１０１】
[00117]ＰＲＡＣＨコンポーネント１２０８は、たとえば装置についてのＲＳＲＰ／ＳＮＲを使用して、ＣＥレベルを決定するＣＥレベル決定コンポーネント１２１２を含み得る。ＲＳＲＰ／ＳＮＲは、ＣＥ要素決定コンポーネント１２１２に受信コンポーネント１２０４によって提供され得る。ＣＥレベル決定コンポーネント１２１２は、ホッピング距離を選択する際の使用のために、１２１６でホッピング距離選択コンポーネント１２１０にＣＥレベルを提供し得る。ホッピング距離コンポーネント１２１０はその後、ＣＥレベルに基づいて、ＰＲＡＣＨのトーン送信の相互間の少なくとも１つのホッピング距離を選択し得る。
【０１０２】
[00118]送信コンポーネント１２０６は、ＰＲＡＣＨのトーン、たとえば図１１における第１、第２、第３、および第４のトーンのうちのいずれも、送信するように構成され得る。たとえば、ＰＲＡＣＨコンポーネント１２０８は、１２２４で、送信コンポーネントにＰＲＡＣＨおよび距離を提供し得る。送信コンポーネント１２０６は、たとえば図１１に関係して説明されたように、ＰＲＡＣＨのトーンを送信するために異なるホッピング距離を使用し得る。
【０１０３】
[00119]受信コンポーネント１２０４は、ＣＥレベルに対するリソース割振りを受信するように構成され得、それらは、ＰＲＡＣＨコンポーネント１２０８のリソース割振りコンポーネント１２１８に提供され得る。ＰＲＡＣＨコンポーネント１２０８がＰＲＡＣＨを生成するために示された送信リソースを使用できるように、受信コンポーネントは、ＰＲＡＣＨコンポーネント１２０８にリソース割振りを提供し得る。
【０１０４】
[00120]装置は、図１１の前述のフローチャートにおけるアルゴリズムのブロックおよび図４−図１０に関係して説明された態様の各々を実行するさらなるコンポーネントを含み得る。このように、図１１の前述のフローチャートにおける各ブロックは、１つのコンポーネントによって実行され得、装置は、それらのコンポーネントのうちの１つまたは複数を含み得る。コンポーネントは、述べられたプロセス／アルゴリズムを行うように特に構成された１つまたは複数のハードウェアコンポーネントか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１０５】
[00121]図１３は、処理システム１３１４を採用する装置１２０２’のためのハードウェア実装の例を例示する図１３００である。処理システム１３１４は、バス１３２４によって概して表されているバスアーキテクチャで実装され得る。バス１３２４は、処理システム１３１４の特定のアプリケーションおよび全体の設計制約に応じて、任意の数の相互接続するバスおよびブリッジを含み得る。バス１３２４は、プロセッサ１３０４、コンポーネント１２０４、１２０６、１２０８、１２１０、１２１２、１２１８、およびコンピュータ可読媒体／メモリ１３０６によって表されている１つまたは複数のプロセッサおよび／またはハードウェアコンポーネントを含む様々な回路を互いにリンクさせる。バス１３２４はまた、タイミングソース、周辺機器、電圧レギュレータ、および電力管理回路のような様々な他の回路もリンクさせ得、それらは、当該技術分野では周知であり、したがって、これ以上は説明されない。
【０１０６】
[00122]処理システム１３１４は、トランシーバ１３１０に結合され得る。トランシーバ１３１０は、１つまたは複数のアンテナ１３２０に結合される。トランシーバ１３１０は、送信媒体を介して様々な他の装置と通信するための手段を提供する。トランシーバ１３１０は、１つまたは複数のアンテナ１３２０から信号を受信し、受信された信号から情報を抽出し、抽出された情報を、処理システム１３１４、特に受信コンポーネント１２０４に提供する。加えて、トランシーバ１３１０は、処理システム１３１４、特に送信コンポーネント１２０６から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６上に記憶されたソフトウェアの実行を含む、一般的な処理を担う。ソフトウェアは、プロセッサ１３０４によって実行されるとき、処理システム１３１４に、あらゆる特定の装置について上で説明された様々な機能を実行させる。コンピュータ可読媒体／メモリ１３０６はまた、ソフトウェアを実行するときにプロセッサ１３０４によって操作されるデータを記憶するためにも使用され得る。処理システム１３１４はさらに、コンポーネント１２０４、１２０６、１２０８、１２１０、１２１２、および１２１８のうちの少なくとも１つを含む。コンポーネントは、プロセッサ１３０４において起動し、コンピュータ可読媒体／メモリ１３０６に内在する／記憶されたソフトウェアコンポーネントか、プロセッサ１３０４に結合された１つまたは複数のハードウェアコンポーネントか、またはそれらの何らかの組合せであり得る。処理システム１３１４は、ＵＥ３５０のコンポーネントであり得、メモリ３６０ならびに／または、ＴＸプロセッサ３６８、ＲＸプロセッサ３５６、およびコントローラ／プロセッサ３５９のうちの少なくとも１つを含み得る。
【０１０７】
[00123]一構成では、ワイヤレス通信のための装置１２０２／１２０２’は、第１のＰＲＡＣＨトーン、第１のＰＲＡＣＨトーンから第１のホッピング距離のところにある第２のＰＲＡＣＨトーン、第３のＰＲＡＣＨトーン、および第３のＰＲＡＣＨトーンから第２のホッピング距離のところにある第４のＰＲＡＣＨトーンを送信するための手段と、ランダムホッピング距離でさらなるＰＲＡＣＨトーンを送信するための手段と、ＣＥレベルに基づいて、ＰＲＡＣＨのトーン送信の相互間の第１のホッピング距離を選択するための手段と、ＣＥレベルを決定するための手段と、リソース割振り情報を受信するための手段と、を含む。上述の手段は、上述の手段によって記載された機能を実行するように構成された、装置１２０２’の処理システム１３１４および／または装置１２０２の上述のコンポーネントのうちの１つまたは複数であり得る。上で説明されたように、処理システム１３１４は、ＴＸプロセッサ３６８、ＲＸプロセッサ３５６、およびコントローラ／プロセッサ３５９を含み得る。このように、一構成では、上述の手段は、上述の手段によって記載された機能を実行するように構成されたＴＸプロセッサ３６８、ＲＸプロセッサ３５６、およびコントローラ／プロセッサ３５９であり得る。
【０１０８】
[00124]図１４は、ワイヤレス通信の方法のフローチャート１４００である。ワイヤレス通信は、ＮＢワイヤレス通信であり得る。狭帯域通信のタイプの中でとりわけ、該ワイヤレス通信は、ＮＢ−ＩＯＴであり得る。通信は、１ＲＢのような狭システム帯域幅に限定され得、マルチユーザ通信の能力を有し得る。方法は、ｅＮＢ（たとえば、ｅＮＢ１０２、３１０、８０２、１２５０、装置１５０２／１５０２’）のような受信機によって実行され得る。
【０１０９】
[00125]１４０２で、ｅＮＢは、第１のトーンホッピング距離にあるＰＲＡＣＨの第１のセットのトーンを受信する。１４０４で、ｅＮＢは、第２のトーンホッピング距離にあるＰＲＡＣＨの第２のセットのトーンを受信する。トーンの命名、即ち第１のトーン、第２のトーン、第３のトーン、および第４のトーン、は、それらの送信に順序を帰するようには意味されない。たとえば、第３のトーンおよび／または第４は、第１および／または第２のトーンの前に送信され得る。
【０１１０】
[00126]図４−図７で例示されているように、第１のトーンはｄ１であり得、第２のトーンはｄ２であり得る。たとえば、第２のホッピング距離はｄ２であり得、第１のホッピング距離、たとえばｄ１、より大きくあり得る。第２のホッピング距離は、１より大きい整数によって乗じられた第１のホッピング距離に対応し得る。したがって、第２のホッピング距離は、１より大きい整数によって乗じられた第１のホッピング距離、たとえばｄ２＝ｄ１＊ｎ、に対応し得、ｎは、１より大きいスケーラ、好ましくは整数である。
【０１１１】
[00127]より大きいトーンホッピング距離、たとえばｄ２、の使用は、ｅＮＢによって行われたＰＲＡＣＨについてのタイミング正確性を向上させ得る一方で、より短い距離、たとえばｄ１、は、ｅＮＢから離れているＵＥを許容し得る。したがって、この例では、第１および第２のトーンは、図５および／または図６におけるセット５０２または５０６のどちらかと同様であり得、第３および第４のトーンは、図５および／または図６におけるセット５０４または５０８と同様であり得る。
【０１１２】
[00128]第１のホッピング距離および第２のホッピング距離は、異なる固定のホッピング距離であり得る。第１のトーンと第２のトーンとの間、および第３のトーンと第４のトーンとの間の固定の距離、たとえばｄ１またはｄ２と比較して、第１のトーン５０２ａと第３のトーン、５０４ａとの間のホッピング距離は、ランダムホッピング距離ｄ３に対応し得る。
【０１１３】
[00129]２つのセットのトーンを受信した後、ｅＮＢは、１４０６で、第１のセットのトーンに基づいて第１のセットの位相推定値（ｐｈｉ１）を、および第２のセットのトーンに基づいて第２のセットの位相推定値（ｐｈｉ２）を決定する。
【０１１４】
[00130]ｅＮＢはまた、１４０８で、第２の位相推定値（ｐｈｉ２）に対応する推定値仮説を選択するために、第１の位相推定値（ｐｈｉ１）も使用し得る。たとえば、短いホッピング距離は、より少ないアンビギュイティを有し、それにより、より長いホッピング距離に対応するアンビギュイティを解決するのを助けるために使用され得る。
【０１１５】
[00131]１４０８で推定値仮説を選択した後、ｅＮＢは、１４１０で、選択された推定値仮説に基づいて、第１の位相推定値を更新し得る。
【０１１６】
[00132]図４−図１１に関係して説明された受信機についてのさらなる態様もまた、図１４の方法において実行され得る。
【０１１７】
[00133]図１５は、実例的な装置１５０２における異なる手段／コンポーネント間のデータフローを例示する概念上のデータフロー図１５００である。装置は、ｅＮＢ１０２、３１０、８０２、１２５０のような受信機であり得る。装置は、たとえば、第１のトーンホッピング距離にあるＰＲＡＣＨの第１のセットのトーン、および第２のトーンホッピング距離にあるＰＲＡＣＨの第２のセットのトーンを含む、ＵＬ通信１５１８をＵＥ１５５０から受信する受信コンポーネント１５０４を含む。装置は、ＵＥ１５５０にＤＬ通信１５１６を送信する送信コンポーネント１５０６を含む。装置は、図１４に関係して説明されたように、第１のセットのトーンに基づいて第１のセットの位相推定値（ｐｈｉ１）を、および第２のセットのトーンに基づいて第２のセットの位相推定値（ｐｈｉ２）を決定するタイミングオフセット推定コンポーネント１５１０を有するＰＲＡＣＨコンポーネント１５０８を含む。
【０１１８】
[00134]装置は、図１４の前述のフローチャートにおけるアルゴリズムのブロックおよび図４−図１０に関係して説明された態様の各々を実行するさらなるコンポーネントを含み得る。このように、図１４の前述のフローチャートにおける各ブロックは、１つのコンポーネントによって実行され得、装置は、それらのコンポーネントのうちの１つまたは複数を含み得る。コンポーネントは、述べられたプロセス／アルゴリズムを行うように特に構成された１つまたは複数のハードウェアコンポーネントか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１１９】
[00135]図１６は、処理システム１６１４を採用する装置１５０２’のためのハードウェア実装の例を例示する図１６００である。処理システム１６１４は、バス１６２４によって概して表されているバスアーキテクチャで実装され得る。バス１６２４は、処理システム１６１４の特定のアプリケーションおよび全体の設計制約に応じて、任意の数の相互接続するバスおよびブリッジを含み得る。バス１６２４は、プロセッサ１６０４、コンポーネント１５０４、１５０６、１５０８、１５１０、およびコンピュータ可読媒体／メモリ１６０６によって表される１つまたは複数のプロセッサおよび／またはハードウェアコンポーネントを含む様々な回路を互いにリンクさせる。バス１６２４はまた、タイミングソース、周辺機器、電圧レギュレータ、および電力管理回路のような様々な他の回路もリンクさせ得、それらは、当該技術分野で周知であり、したがって、これ以上は説明されない。
【０１２０】
[00136]処理システム１６１４は、トランシーバ１６１０に結合され得る。トランシーバ１６１０は、１つまたは複数のアンテナ１６２０に結合される。トランシーバ１６１０は、送信媒体を介して様々な他の装置と通信するための手段を提供する。トランシーバ１６１０は、１つまたは複数のアンテナ１６２０から信号を受信し、受信された信号から情報を抽出し、抽出された情報を、処理システム１６１４、特に受信コンポーネント１５０４に提供する。加えて、トランシーバ１６１０は、処理システム１６１４、特に送信コンポーネント１５０６から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６上に記憶されたソフトウェアの実行を含む、一般的な処理を担う。ソフトウェアは、プロセッサ１６０４によって実行されるとき、処理システム１６１４に、あらゆる特定の装置について上で説明された様々な機能を実行させる。コンピュータ可読媒体／メモリ１６０６はまた、ソフトウェアを実行するときにプロセッサ１６０４によって操作されるデータを記憶するためにも使用され得る。処理システム１６１４はさらに、コンポーネント１５０４、１５０６、１５０８、１５１０のうちの少なくとも１つを含む。コンポーネントは、プロセッサ１６０４において起動し、コンピュータ可読媒体／メモリ１６０６に内在する／記憶されたソフトウェアコンポーネントか、プロセッサ１６０４に結合された１つまたは複数のハードウェアコンポーネントか、またはそれらの何らかの組合せであり得る。処理システム１６１４は、ｅＮＢ３１０のコンポーネントであり得、メモリ３７６および／またはＴＸプロセッサ３１６、ＲＸプロセッサ３７０、およびコントローラ／プロセッサ３７５のうちの少なくとも１つを含み得る。
【０１２１】
[00137]一構成では、ワイヤレス通信のための装置は、第１のトーンホッピング距離にあるＰＲＡＣＨの第１のセットのトーンを受信し、第２のトーンホッピング距離にあるＰＲＡＣＨの第２のセットのトーンを受信するための手段と、第１のセットのトーンに基づいて第１のセットの位相推定値を、および第２のセットのトーンに基づいて第２のセットの位相推定値を決定するための手段と、第２の位相推定値に対応する推定値仮説を選択するために第１の位相推定値を使用するための手段と、選択された推定値仮説に基づいて、第１の位相推定値を更新するための手段と、のうちのいずれかを含み得る。
【０１２２】
[00138]上述の手段は、上述の手段によって記載された機能を実行するように構成された装置の、たとえば少なくとも１つのプロセッサを含む処理システム、および／または装置の上述のコンポーネントのうちの１つまたは複数であり得る。上で説明されたように、処理システムは、ＴＸプロセッサ３１６、ＲＸプロセッサ３７０、およびコントローラ／プロセッサ３７５を含み得る。このように、一構成では、上述の手段は、上述の手段によって記載された機能を実行するように構成されたＴＸプロセッサ３１６、ＲＸプロセッサ３７０、およびコントローラ／プロセッサ３７５であり得る。
【０１２３】
[00139]開示されたプロセス／フローチャートにおけるブロックの特定の順序または階層が実例的な手法の例示であることは理解される。設計選好に基づいて、プロセス／フローチャートにおけるブロックの特定の順序または階層が並べ替えられ得ることは理解される。さらに、いくつかのブロックが組み合わされ得るか、または省略され得る。添付の方法の請求項は、サンプルの順序で様々なブロックの要素を提示しており、提示された特定の順序または階層に限定されるようには意味されない。
【０１２４】
[00140]先の説明は、いずれの当業者も本明細書で説明された様々な態様を実施することを可能とするように提供されている。これらの態様への様々な変更は当業者には容易に明らかになり、本明細書で定義されている包括的な本質は他の態様に適用され得る。したがって、請求項は、本明細書で図示されている態様に限定されるようには意図されていないが、請求項の記載と矛盾しない最大範囲を付与されることとし、ここにおいて、単数の要素への言及は、そのように特に述べられない限り、「１つおよび１つのみ」を意味するのではなく、むしろ「１つまたは複数」を意味するように意図されている。「実例的」という言葉は、「例、事例、または例示としての役目をする」を意味するように本明細書では使用されている。「実例的」と本明細書で説明されているいずれの態様も、必ずしも、他の態様より好まれる、または有利であると解釈されるわけではないこととする。別の形で特に述べられない限り、「何らかの／いくつかの／いくらかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらのあらゆる組合せ」のような組合せは、Ａ、Ｂ、および／またはＣのいずれの組合せも含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらのあらゆる組合せ」のような組合せは、Ａのみ、Ｂのみ、Ｃのみ、ＡとＢ、ＡとＣ、ＢとＣ、またはＡとＢとＣであり得、ここで、いずれのそうした組合せも、Ａ、Ｂ、またはＣの１つまたは複数のメンバーを含み得る。当業者に既知である、または後に知られることになる、本開示全体にわたって説明されている様々な態様の要素に対するすべての構造的および機能的な同等物が、参照によって本明細書に明示的に組み込まれ、請求項によって包含されるように意図されている。さらに、本明細書で開示されているいずれも、こうした開示が請求項に明確に記載されているかどうかに関わらず、公衆に献呈されるようには意図されていない。「モジュール」、「メカニズム」、「要素」、「デバイス」等という言葉は、「手段」という言葉に対する代替でないことがある。このように、どの請求項の要素も、要素が「のための手段」というフレーズを使用して明示的に記載されていない限り、ミーンズプラスファンクションとして解釈されないこととする。
以下に本願の出願当初の特許請求の範囲に記載された発明を付記する。
［Ｃ１］
ワイヤレス通信の方法であって、
物理ランダムアクセスチャネル（ＰＲＡＣＨ）の第１のトーンを送信することと、
前記第１のトーンから第１のホッピング距離のところにある前記ＰＲＡＣＨの第２のトーンを送信することと、
前記ＰＲＡＣＨの第３のトーンを送信することと、
前記第３のトーンから第２のホッピング距離のところにある前記ＰＲＡＣＨの第４のトーンを送信することと、
を備える、方法。
［Ｃ２］
前記ワイヤレス通信は、狭帯域ワイヤレス通信を備える、Ｃ１に記載の方法。
［Ｃ３］
前記第２のホッピング距離は、第１のホッピング距離より大きい、Ｃ１に記載の方法。
［Ｃ４］
前記第２のホッピング距離は、１より大きい整数によって乗じられた前記第１のホッピング距離に対応する、Ｃ１に記載の方法。
［Ｃ５］
前記第１のトーンと第３のトーンとの間のホッピング距離は、ランダムホッピング距離に対応する、Ｃ１に記載の方法。
［Ｃ６］
前記第４のトーンと第１のトーンとの間のホッピング距離がランダムホッピング距離に対応する、Ｃ１に記載の方法。
［Ｃ７］
ランダムホッピング距離を使用して、前記ＰＲＡＣＨのさらなるトーンを送信すること
をさらに備える、Ｃ１に記載の方法。
［Ｃ８］
カバレッジ拡張（ＣＥ）レベルを決定することと、
前記ＣＥレベルに基づいて、前記ＰＲＡＣＨのトーン送信の相互間の第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
をさらに備える、Ｃ１に記載の方法。
［Ｃ９］
送信リソース中のトーンをカバレッジ拡張（ＣＥ）レベルにマッピングするリソース割振り情報を受信すること、ここにおいて、前記第１のトーン、前記第２のトーン、前記第３のトーン、および前記第４のトーンは、前記リソース割振り情報によって示された送信リソース内で送信される、
をさらに備える、Ｃ１に記載の方法。
［Ｃ１０］
前記ＣＥレベルは、固定の送信リソース中のトーンにマッピングし、前記第１のトーン、前記第２のトーン、前記第３および前記第４のトーンは、前記固定の送信リソース内で送信される、Ｃ９に記載の方法。
［Ｃ１１］
前記ＣＥレベルは、複数の固定の送信リソース中のトーンにマッピングし、前記方法は、
前記ＣＥレベルに対応するリソース割振り情報を受信すること、ここにおいて、前記第１のトーン、前記第２のトーン、前記第３のトーン、および前記第４のトーンは、前記リソース割振り情報によって示された前記複数の固定の送信リソースのうちの１つ内で送信される、
をさらに備える、Ｃ９に記載の方法。
［Ｃ１２］
カバレッジ拡張（ＣＥ）レベルを決定すること、ここにおいて、第１のＣＥレベルは、第２のＣＥレベルとは異なるタイミングアドバンス粒度に関連付けられる、
をさらに備える、Ｃ１に記載の方法。
［Ｃ１３］
前記ＰＲＡＣＨのためのトーン間の間隔は、対応するアップリンクまたはダウンリンクデータ送信のためのトーン間の間隔とは異なる、Ｃ１に記載の方法。
［Ｃ１４］
少なくとも前記第１のトーンは、成功したＰＲＡＣＨ送信に続く対応するアップリンクデータ送信またはダウンリンクデータ送信のための位置にマッピングされる、Ｃ１３に記載の方法。
［Ｃ１５］
ワイヤレス通信のための装置であって、
物理ランダムアクセスチャネル（ＰＲＡＣＨ）の第１のトーンを送信するための手段を備え、
前記送信するための手段は、前記第１のトーンから第１のホッピング距離のところにある前記ＰＲＡＣＨの第２のトーンを送信し、前記ＰＲＡＣＨの第３のトーンを送信し、前記第３のトーンから第２のホッピング距離のところにある前記ＰＲＡＣＨの第４のトーンを送信する、
を備える、装置。
［Ｃ１６］
前記ワイヤレス通信は、狭帯域ワイヤレス通信を備え、前記第２のホッピング距離は、第１のホッピング距離より大きい、Ｃ１５に記載の装置。
［Ｃ１７］
前記第２のホッピング距離は、１より大きい整数によって乗じられた前記第１のホッピング距離に対応する、Ｃ１５に記載の装置。
［Ｃ１８］
前記第１のトーンと第３のトーンとの間のホッピング距離は、ランダムホッピング距離に対応するか、または前記第４のトーンと第１のトーンとの間のホッピング距離は、ランダムホッピング距離に対応する、Ｃ１５に記載の装置。
［Ｃ１９］
前記送信するための手段は、ランダムホッピング距離を使用して、前記ＰＲＡＣＨのさらなるトーンを送信する、Ｃ１５に記載の装置。
［Ｃ２０］
カバレッジ拡張（ＣＥ）レベルを決定するための手段と、
前記ＣＥレベルに基づいて、前記ＰＲＡＣＨのトーン送信の相互間の第１のホッピング距離を選択するための手段と、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
をさらに備える、Ｃ１５に記載の装置。
［Ｃ２１］
送信リソース中のトーンをカバレッジ拡張（ＣＥ）レベルにマッピングするリソース割振り情報を受信するための手段、ここにおいて、前記第１のトーン、前記第２のトーン、前記第３のトーン、および前記第４のトーンは、前記リソース割振り情報によって示された送信リソース内で送信される、
ここにおいて、前記ＣＥレベルは、
固定の送信リソース中のトーン、ここにおいて、前記第１のトーン、前記第２のトーン、前記第３および前記第４のトーンは、前記固定の送信リソース内で送信される、または、
複数の固定の送信リソース中のトーン、ここにおいて、前記受信するための手段は、前記ＣＥレベルに対応するリソース割振り情報を受信し、前記第１のトーン、前記第２のトーン、前記第３のトーン、および前記第４のトーンは、前記リソース割振り情報によって示された前記複数の固定の送信リソースのうちの１つ内で送信される、
のうちの少なくとも１つにマッピングする、
をさらに備える、Ｃ１５に記載の装置。
［Ｃ２２］
カバレッジ拡張（ＣＥ）レベルを決定するための手段、ここにおいて、第１のＣＥレベルは、第２のＣＥレベルとは異なるタイミングアドバンス粒度に関連付けられる、
をさらに備える、Ｃ１５に記載の装置。
［Ｃ２３］
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、Ｃ１５に記載の装置。
［Ｃ２４］
ワイヤレス通信のための装置であって、
メモリと、
前記メモリに結合され、かつ、
物理ランダムアクセスチャネル（ＰＲＡＣＨ）の第１のトーンを送信することと、
前記第１のトーンから第１のホッピング距離のところにある前記ＰＲＡＣＨの第２のトーンを送信することと、
前記ＰＲＡＣＨの第３のトーンを送信することと、
前記第３のトーンから第２のホッピング距離のところにある前記ＰＲＡＣＨの第４のトーンを送信することと、
を行うように構成された少なくとも１つのプロセッサと、
を備える、装置。
［Ｃ２５］
前記ワイヤレス通信は、狭帯域ワイヤレス通信を備え、前記第２のホッピング距離は、第１のホッピング距離より大きい、Ｃ２４に記載の装置。
［Ｃ２６］
前記第２のホッピング距離は、１より大きい整数によって乗じられた前記第１のホッピング距離に対応する、Ｃ２４に記載の装置。
［Ｃ２７］
前記第１のトーンと第３のトーンとの間のホッピング距離は、ランダムホッピング距離に対応するか、または前記第４のトーンと第１のトーンとの間のホッピング距離は、ランダムホッピング距離に対応する、Ｃ２４に記載の装置。
［Ｃ２８］
前記少なくとも１つのプロセッサは、
ランダムホッピング距離を使用して、前記ＰＲＡＣＨのさらなるトーンを送信する
ようにさらに構成される、Ｃ２４に記載の装置。
［Ｃ２９］
前記少なくとも１つのプロセッサは、
カバレッジ拡張（ＣＥ）レベルを決定することと、
前記ＣＥレベルに基づいて、前記ＰＲＡＣＨのトーン送信の相互間の第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
を行うようにさらに構成される、Ｃ２４に記載の装置。
［Ｃ３０］
前記少なくとも１つのプロセッサは、
送信リソース中のトーンをカバレッジ拡張（ＣＥ）レベルにマッピングするリソース割振り情報を受信すること、ここにおいて、前記第１のトーン、前記第２のトーン、前記第３のトーン、および前記第４のトーンは、前記リソース割振り情報によって示された送信リソース内で送信され、前記ＣＥレベルは、
固定の送信リソース中のトーン、ここにおいて、前記第１のトーン、前記第２のトーン、前記第３および前記第４のトーンは、前記固定の送信リソース内で送信される、または、
複数の固定の送信リソース中のトーン、ここにおいて、前記少なくとも１つのプロセッサは、前記ＣＥレベルに対応するリソース割振り情報を受信するようにさらに構成され、前記第１のトーン、前記第２のトーン、前記第３のトーン、および前記第４のトーンは、前記リソース割振り情報によって示された前記複数の固定の送信リソースのうちの１つ内で送信される、
のうちの少なくとも１つにマッピングする、
を行うようにさらに構成される、Ｃ２４に記載の装置。
［Ｃ３１］
前記少なくとも１つのプロセッサは、
カバレッジ拡張（ＣＥ）レベルを決定する、ここにおいて、第１のＣＥレベルは、第２のＣＥレベルとは異なるタイミングアドバンス粒度に関連付けられる、
ようにさらに構成される、Ｃ２４に記載の装置。
［Ｃ３２］
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、Ｃ２４に記載の装置。
［Ｃ３３］
ワイヤレス通信のためのコンピュータ実行可能コードを記憶するコンピュータ可読媒体であって、
物理ランダムアクセスチャネル（ＰＲＡＣＨ）の第１のトーンを送信することと、
前記第１のトーンから第１のホッピング距離のところにある前記ＰＲＡＣＨの第２のトーンを送信することと、
前記ＰＲＡＣＨの第３のトーンを送信することと、
前記第３のトーンから第２のホッピング距離のところにある前記ＰＲＡＣＨの第４のトーンを送信することと、
を行うためのコードを備える、コンピュータ可読媒体。
［Ｃ３４］
前記ワイヤレス通信は、狭帯域ワイヤレス通信を備え、前記第２のホッピング距離は、第１のホッピング距離より大きい、Ｃ３３に記載のコンピュータ可読媒体。
［Ｃ３５］
前記第２のホッピング距離は、１より大きい整数によって乗じられた前記第１のホッピング距離に対応する、Ｃ３３に記載のコンピュータ可読媒体。
［Ｃ３６］
前記第１のトーンと第３のトーンとの間のホッピング距離は、ランダムホッピング距離に対応するか、または前記第４のトーンと第１のトーンとの間のホッピング距離は、ランダムホッピング距離に対応する、Ｃ３３に記載のコンピュータ可読媒体。
［Ｃ３７］
ランダムホッピング距離を使用して、前記ＰＲＡＣＨのさらなるトーンを送信する
ためのコードをさらに備える、Ｃ３３に記載のコンピュータ可読媒体。
［Ｃ３８］
カバレッジ拡張（ＣＥ）レベルを決定することと、
前記ＣＥレベルに基づいて、前記ＰＲＡＣＨのトーン送信の相互間の第１のホッピング距離を選択することと、ここにおいて、第１の距離は、前記ＣＥレベルが基準レベル未満であるときに前記第１のホッピング距離として選択され、第２の距離は、前記ＣＥレベルが前記基準レベルを上回るときに前記第１のホッピング距離として選択される、
前記第１の距離は、前記第２の距離より大きい、
を行うためのコードをさらに備える、Ｃ３３に記載のコンピュータ可読媒体。
［Ｃ３９］
送信リソース中のトーンをカバレッジ拡張（ＣＥ）レベルにマッピングするリソース割振り情報を受信するためのコードをさらに備え、ここにおいて、前記第１のトーン、前記第２のトーン、前記第３のトーン、および前記第４のトーンは、前記リソース割振り情報によって示された送信リソース内で送信され、前記ＣＥレベルは、
固定の送信リソース中のトーン、ここにおいて、前記第１のトーン、前記第２のトーン、前記第３および前記第４のトーンは、前記固定の送信リソース内で送信される、または、
複数の固定の送信リソース中のトーン、
のうちの少なくとも１つにマッピングし、前記コンピュータ可読媒体はさらに、
前記ＣＥレベルに対応するリソース割振り情報を受信するためのコードを備え、ここにおいて、前記第１のトーン、前記第２のトーン、前記第３のトーン、および前記第４のトーンは、前記リソース割振り情報によって示された前記複数の固定の送信リソースのうちの１つ内で送信される、
Ｃ３３に記載のコンピュータ可読媒体。
［Ｃ４０］
カバレッジ拡張（ＣＥ）レベルを決定するためのコードをさらに備え、ここにおいて、第１のＣＥレベルは、第２のＣＥレベルとは異なるタイミングアドバンス粒度に関連付けられる、Ｃ３３に記載のコンピュータ可読媒体。
［Ｃ４１］
前記ＰＲＡＣＨのためのトーン間の間隔は、対応するアップリンクまたはダウンリンクデータ送信のためのトーン間の間隔とは異なり、少なくとも前記第１のトーンは、成功したＰＲＡＣＨ送信に続く対応するアップリンクデータ送信またはダウンリンクデータ送信のための位置にマッピングされる、Ｃ３３に記載のコンピュータ可読媒体。
［Ｃ４２］
ワイヤレス通信の方法であって、
第１のトーンホッピング距離にあるＰＲＡＣＨの第１のセットのトーンを受信することと、
第２のトーンホッピング距離にあるＰＲＡＣＨの第２のセットのトーンを受信することと、
前記第１のセットのトーンに基づいて第１の位相推定値を、および前記第２のセットのトーンに基づいて第２の位相推定値を決定することと、
を備える、方法。
［Ｃ４３］
前記第２の位相推定値に対応する推定値仮説を選択するために前記第１の位相推定値を使用すること
をさらに備える、Ｃ４２に記載の方法。
［Ｃ４４］
前記選択された推定値仮説に基づいて、前記第１の位相推定値を更新すること
をさらに備える、Ｃ４３に記載の方法。
［Ｃ４５］
ランダムホッピング距離にある前記ＰＲＡＣＨのさらなるトーンを受信すること
をさらに備える、Ｃ４２に記載の方法。
［Ｃ４６］
ワイヤレス通信のための装置であって、
第１のトーンホッピング距離にあるＰＲＡＣＨの第１のセットのトーンを受信し、第２のトーンホッピング距離にあるＰＲＡＣＨの第２のセットのトーンを受信するための手段と、
前記第１のセットのトーンに基づいて第１の位相推定値を、および前記第２のセットのトーンに基づいて第２の位相推定値を決定するための手段と、
を備える、装置。
［Ｃ４７］
前記決定するための手段は、前記第２の位相推定値に対応する推定値仮説を選択するために前記第１の位相推定値を使用する、Ｃ４６に記載の装置。
［Ｃ４８］
前記決定するための手段は、前記選択された推定値仮説に基づいて、前記第１の位相推定値を更新する、Ｃ４７に記載の装置。
［Ｃ４９］
前記受信するための手段は、ランダムホッピング距離にある前記ＰＲＡＣＨのさらなるトーンを受信する、Ｃ４６に記載の装置。
［Ｃ５０］
ワイヤレス通信のための装置であって、
メモリと、
前記メモリに結合され、かつ、
第１のトーンホッピング距離にあるＰＲＡＣＨの第１のセットのトーンを受信することと、
第２のトーンホッピング距離にあるＰＲＡＣＨの第２のセットのトーンを受信することと、
前記第１のセットのトーンに基づいて第１の位相推定値を、および前記第２のセットのトーンに基づいて第２の位相推定値を決定することと、
を行うように構成された少なくとも１つのプロセッサと、
を備える、装置。
［Ｃ５１］
前記少なくとも１つのプロセッサは、
前記第２の位相推定値に対応する推定値仮説を選択するために前記第１の位相推定値を使用するようにさらに構成される、Ｃ５０に記載の装置。
［Ｃ５２］
前記少なくとも１つのプロセッサは、
前記選択された推定値仮説に基づいて、前記第１の位相推定値を更新する
ようにさらに構成される、Ｃ５１に記載の装置。
［Ｃ５３］
前記少なくとも１つのプロセッサは、
ランダムホッピング距離にある前記ＰＲＡＣＨのさらなるトーンを受信する
ようにさらに構成される、Ｃ５０に記載の装置。
［Ｃ５４］
コンピュータにより実行可能なコードを記憶するコンピュータ可読媒体であって、
第１のトーンホッピング距離にあるＰＲＡＣＨの第１のセットのトーンを受信することと、
第２のトーンホッピング距離にあるＰＲＡＣＨの第２のセットのトーンを受信することと、
前記第１のセットのトーンに基づいて第１の位相推定値を、および前記第２のセットのトーンに基づいて第２の位相推定値を決定することと、
を行うためのコードを備える、コンピュータ可読媒体。
［Ｃ５５］
前記第２の位相推定値に対応する推定値仮説を選択するために前記第１の位相推定値を使用する
ためのコードをさらに備える、Ｃ５４に記載のコンピュータ可読媒体。
［Ｃ５６］
前記選択された推定値仮説に基づいて、前記第１の位相推定値を更新する
ためのコードをさらに備える、Ｃ５５に記載のコンピュータ可読媒体。
［Ｃ５７］
ランダムホッピング距離にある前記ＰＲＡＣＨのさらなるトーンを受信する
ためのコードをさらに備える、Ｃ５４に記載のコンピュータ可読媒体。
【図１】
0006545910.tif 000002
【図２Ａ】
0006545910.tif 000003
【図２Ｂ】
0006545910.tif 000004
【図２Ｃ】
0006545910.tif 000005
【図２Ｄ】
0006545910.tif 000006
【図３】
0006545910.tif 000007
【図４】
0006545910.tif 000008
【図５】
0006545910.tif 000009
【図６】
0006545910.tif 000010
【図７】
0006545910.tif 000011
【図８Ａ】
0006545910.tif 000012
【図８Ｂ】
0006545910.tif 000013
【図９】
0006545910.tif 000014
【図１０】
0006545910.tif 000015
【図１１】
0006545910.tif 000016
【図１２】
0006545910.tif 000017
【図１３】
0006545910.tif 000018
【図１４】
0006545910.tif 000019
【図１５】
0006545910.tif 000020
【図１６】
0006545910.tif 000021